(57)【要約】【課題】信号送受信装置及び信号送受信装置の制御方法を開示する。【解決手段】信号受信装置の制御方法は、ビデオデータを含むストリームとシグナリング情報を逆多重化すること、逆多重化したシグナリング情報及びビデオデータを復号化すること、及び復号化したシグナリング情報からクロップ領域に対する情報を抽出することを含む。信号受信装置は、ビデオデータを含むストリームとシグナリング情報を逆多重化する逆多重化部、逆多重化したシグナリング情報を復号するシグナリング情報復号部、逆多重化したビデオストリーム内のビデオデータをデコーディングするビデオデコーダー、復号化したシグナリング情報からクロップ領域に対する情報を抽出する制御部、及びディスプレイ部を含む。【選択図】図１９
2016523015.tif 000002
【特許請求の範囲】
【請求項１】
信号受信装置の制御方法において、
ビデオデータを含むストリームとシグナリング情報を逆多重化するステップと、
前記逆多重化したシグナリング情報及び前記ビデオデータを復号化するステップと、
前記復号化したシグナリング情報からクロップ領域に対する情報を抽出するステップを含む、信号受信装置の制御方法。
【請求項２】
前記クロップ領域に対する情報は、
クロップ領域個数及びフレームが１番目のフレームであるか否かを示す情報を含み、
クロップ領域の基準座標を示す情報又は前記基準座標との差値を示す情報を含む、請求項１に記載の信号受信装置の制御方法。
【請求項３】
画面比率情報を含む第２の端末装置のディスプレイ情報を受信するステップと、
前記抽出したクロップ領域に対する情報を用いて前記デコーディングしたビデオデータをクロップするステップと、
前記デコーディングしたビデオデータのクロップした領域を前記第２の端末装置に伝送するステップをさらに含む、請求項１に記載の信号受信装置の制御方法。
【請求項４】
前記受信した画面比率情報と前記クロップ領域の画面比率とを比較するステップと、これらが同一でない場合、既に設定された領域にＡＦＤバーを挿入するステップをさらに含む、請求項３に記載の信号受信装置の制御方法。
【請求項５】
前記受信した第２の端末装置のディスプレイ情報に基づいて前記ビデオデータのフォーマットを変換するステップをさらに含む、請求項３に記載の信号受信装置の制御方法。
【請求項６】
前記ビデオデータのフォーマットは、
フレームレート、ビットデプス及びクロマサンプリングのうち少なくとも一つを含む、請求項５に記載の信号受信装置の制御方法。
【請求項７】
前記クロップ領域は複数存在し、前記複数のクロップ領域のうち一つのクロップ領域を選択できる選択画面を出力するステップをさらに含む、請求項３に記載の信号受信装置の制御方法。
【請求項８】
前記抽出したクロップ領域に対する情報を用いて前記デコーディングしたビデオデータの少なくとも一つの領域をクロップするステップと、
ディスプレイ部の画面比率が１６：９である場合、前記ディスプレイ部を分割し、前記クロップした少なくとも一つの領域をディスプレイするステップをさらに含む、請求項１に記載の信号受信装置の制御方法。
【請求項９】
前記抽出したクロップ領域に対する情報を用いて前記デコーディングしたビデオデータの少なくとも一つの領域をクロップするステップと、
前記デコーディングしたビデオデータ及び前記少なくとも一つのクロップした領域を出力するステップをさらに含み、
前記出力するステップは、
ディスプレイ部の画面比率が２１：９である場合、前記ディスプレイ部をメイン領域と付加領域とに分割し、メイン領域は前記デコーディングしたビデオデータを出力し、前記付加領域は前記少なくとも一つのクロップした領域を出力するステップを含む、請求項１に記載の信号受信装置の制御方法。
【請求項１０】
ビデオデータをエンコーディングするステップと、
前記ビデオデータのうちクロップ領域を設定し、前記クロップ領域に対する情報を含むシグナリング情報を生成するステップと、
前記エンコーディングしたビデオデータ及び前記シグナリング情報を多重化し、前記多重化したビデオデータとシグナリング情報を伝送するステップを含む、信号送信装置の制御方法。
【請求項１１】
ビデオデータを含むストリームとシグナリング情報を逆多重化する逆多重化部と、
前記逆多重化したシグナリング情報を復号するシグナリング情報復号部と、
前記逆多重化したビデオストリーム内のビデオデータをデコーディングするビデオデコーダーと、
前記復号化したシグナリング情報からクロップ領域に対する情報を抽出する制御部と、
ディスプレイ部とを含む、信号受信装置。
【請求項１２】
前記クロップ領域に対する情報は、
クロップ領域個数及びフレームが１番目のフレームであるか否かを示す情報を含み、
クロップ領域の基準座標を示す情報又は前記基準座標との差値を示す情報を含む、請求項１１に記載の信号受信装置。
【請求項１３】
画面比率情報を含む第２の端末装置のディスプレイ情報を受信する通信部をさらに含み、
前記制御部は、
前記抽出したクロップ領域に対する情報を用いて前記デコーディングしたビデオデータをクロップし、
前記通信部は、
前記デコーディングしたビデオデータのクロップした領域を前記第２の端末装置に伝送する、請求項１１に記載の信号受信装置。
【請求項１４】
前記制御部は、
前記受信した画面比率情報と前記クロップ領域の画面比率とを比較し、これらが同一でない場合、既に設定された領域にＡＦＤバーを挿入する、請求項１３に記載の信号受信装置。
【請求項１５】
前記制御部は、
前記受信した第２の端末装置のディスプレイ情報に基づいて前記ビデオデータのフォーマットを変換する、請求項１３に記載の信号受信装置。
【請求項１６】
前記ビデオデータのフォーマットは、
フレームレート、ビットデプス及びクロマサンプリングのうち少なくとも一つを含む、請求項１５に記載の信号受信装置。
【請求項１７】
前記クロップ領域は複数存在し、
前記制御部は、
前記複数のクロップ領域のうち一つのクロップ領域を選択できる選択画面を出力するように前記ディスプレイ部を制御する、請求項１３に記載の信号受信装置。
【請求項１８】
前記制御部は、
前記抽出したクロップ領域に対する情報を用いて前記デコーディングしたビデオデータの少なくとも一つの領域をクロップし、前記ディスプレイ部の画面比率が１６：９である場合、前記ディスプレイ部を分割し、前記クロップした少なくとも一つの領域を出力するように制御する、請求項１１に記載の信号受信装置。
【請求項１９】
前記制御部は、
前記抽出したクロップ領域に対する情報を用いて前記デコーディングしたビデオデータの少なくとも一つの領域をクロップし、前記ディスプレイ部の画面比率が２１：９である場合、前記ディスプレイ部をメイン領域と付加領域とに分割し、メイン領域は前記デコーディングしたビデオデータを出力し、前記付加領域は前記少なくとも一つのクロップした領域を出力するように制御する、請求項１１に記載の信号受信装置。
【請求項２０】
ビデオデータをエンコーディングするエンコーダーと、
前記ビデオデータのうちクロップ領域を設定し、前記クロップ領域に対する情報を含むシグナリング情報を生成するシグナリング情報生成部と、
前記エンコーディングしたビデオデータ及び前記シグナリング情報を多重化する多重化部と、
前記多重化したビデオデータとシグナリング情報を伝送する通信部を含む、信号送信装置。
【発明の詳細な説明】
【技術分野】
【０００１】
本発明は、信号送受信装置及び信号送受信装置の制御方法に関する。
【背景技術】
【０００２】
ビデオ信号処理速度が速くなると共に、超高解像度（Ｕｌｔｒａ  Ｈｉｇｈ  Ｄｅｆｉｎｉｔｉｏｎ；ＵＨＤ）ビデオを送受信する技術が研究されている。ＵＨＤビデオは、既存のＨＤビデオに比べて広い領域が撮影されるので、解像度が高い。また、ＵＨＤビデオは、解像度が高いので、より大きい画面の受信装置を用いてディスプレイすることができる。また、通信及び電子技術の発展と伴い、携帯可能な個人用端末装置が普及しており、第２の端末装置に対する関心が高まっている。
【０００３】
既存のＳＩ（Ｓｙｓｔｅｍ  Ｉｎｆｏｒｍａｔｉｏｎ）標準は、ＵＨＤ放送サービスシナリオを含まない。しかし、ＵＨＤビデオを個人用端末装置などの第２の端末装置でディスプレイできる方法、ＵＨＤビデオデータを用いて大画面の受信装置の画面を構成する方法などに対する必要性が存在する。
【０００４】
したがって、ＵＨＤビデオ内でＲＯＩ（Ｒｅｇｉｏｎ  Ｏｆ  Ｉｎｔｅｒｅｓｔ）領域をクロップ（ｃｒｏｐ）し、スマートフォンやタブレットなどの第２の端末装置でディスプレイできるシグナリング情報が必要である。また、クロップされたＲＯＩ領域を再構成してディスプレイしたり、ＵＨＤビデオと画面比が異なる信号受信装置が余剰領域を処理できるシグナリング情報が必要である。
【発明の概要】
【発明が解決しようとする課題】
【０００５】
本発明は、ＵＨＤビデオの一部領域をクロップし、第２の端末装置（２ｎｄ  ｄｅｖｉｃｅ）でディスプレイできる信号送受信装置及び信号送受信装置の制御方法を提供することを目的とする。
【０００６】
本発明の他の目的は、複数のクロップされた領域を用いて画面を再構成できる信号送受信装置及び信号送受信制御方法を提供することにある。
【０００７】
本発明の他の目的は、画面比が２１：９であるディスプレイ装置の余剰領域に追加ビデオをディスプレイできる信号送受信装置及び信号送受信装置の制御方法を提供することにある。
【課題を解決するための手段】
【０００８】
上述した目的を達成するための一実施例として、信号受信装置の制御方法は、ビデオデータを含むストリームとシグナリング情報を逆多重化するステップと、前記逆多重化したシグナリング情報及び前記ビデオデータを復号化するステップと、前記復号化したシグナリング情報からクロップ領域に対する情報を抽出するステップを含む。
【０００９】
そして、前記クロップ領域に対する情報は、クロップ領域個数及びフレームが１番目のフレームであるか否かを示す情報を含み、クロップ領域の基準座標を示す情報又は前記基準座標との差値を示す情報を含むことができる。
【００１０】
一方、信号受信装置の制御方法は、画面比率（Ａｓｐｅｃｔ  Ｒａｔｉｏ）情報を含む第２の端末装置のディスプレイ情報を受信するステップと、前記抽出したクロップ領域に対する情報を用いて前記デコーディングしたビデオデータをクロップするステップと、前記デコーディングしたビデオデータのクロップした領域を前記第２の端末装置に伝送するステップをさらに含むことができる。
【００１１】
そして、信号受信装置の制御方法は、前記受信した画面比率情報と前記クロップ領域の画面比率とを比較し、これらが同一でない場合、既に設定された領域にＡＦＤバー（ｂａｒ）を挿入するステップをさらに含むことができる。
【００１２】
また、信号受信装置の制御方法は、前記受信した第２の端末装置のディスプレイ情報に基づいて前記ビデオデータのフォーマットを変換するステップをさらに含むことができる。
【００１３】
一方、前記ビデオデータのフォーマットは、フレームレート（ｆｒａｍｅ  ｒａｔｅ）、ビットデプス（ｂｉｔ  ｄｅｐｔｈ）及びクロマサンプリング（ｃｈｒｏｍａ  ｓａｍｐｌｉｎｇ）のうち少なくとも一つを含むことができる。
【００１４】
一方、信号受信装置の制御方法は、前記クロップ領域が複数存在し、前記複数のクロップ領域のうち一つのクロップ領域を選択できる選択画面を出力するステップをさらに含むことができる。
【００１５】
そして、信号受信装置の制御方法は、前記抽出したクロップ領域に対する情報を用いて前記デコーディングしたビデオデータの少なくとも一つの領域をクロップするステップと、ディスプレイ部の画面比率が１６：９である場合、前記ディスプレイ部を分割し、前記クロップした少なくとも一つの領域をディスプレイするステップをさらに含むことができる。
【００１６】
また、信号受信装置の制御方法は、前記抽出したクロップ領域に対する情報を用いて前記デコーディングしたビデオデータの少なくとも一つの領域をクロップするステップと、前記デコーディングしたビデオデータ及び前記少なくとも一つのクロップした領域を出力するステップをさらに含み、前記出力するステップは、ディスプレイ部の画面比率が２１：９である場合、前記ディスプレイ部をメイン領域と付加領域とに分割し、メイン領域は前記デコーディングしたビデオデータを出力し、前記付加領域は前記少なくとも一つのクロップした領域を出力するステップを含む。
【００１７】
上述した目的を達成するための一実施例として、信号送信装置の制御方法は、ビデオデータをエンコーディングするステップと、前記ビデオデータのうちクロップ領域を設定し、前記クロップ領域（ｃｒｏｐ）に対する情報を含むシグナリング情報を生成ステップと、前記エンコーディングしたビデオデータ及び前記シグナリング情報を多重化し、前記多重化したビデオデータとシグナリング情報を伝送するステップを含むことができる。
【００１８】
上述した目的を達成するための一実施例として、信号受信装置は、ビデオデータを含むストリームとシグナリング情報を逆多重化する逆多重化部と、前記逆多重化したシグナリング情報を復号するシグナリング情報復号部と、前記逆多重化したビデオストリーム内のビデオデータをデコーディングするビデオデコーダーと、前記復号化したシグナリング情報からクロップ領域に対する情報を抽出する制御部と、ディスプレイ部を含む。
【００１９】
そして、前記クロップ領域に対する情報は、クロップ領域個数及びフレームが１番目のフレームであるか否かを示す情報を含み、クロップ領域の基準座標を示す情報又は前記基準座標との差値を示す情報を含むことができる。
【００２０】
一方、信号受信装置は、画面比率情報を含む第２の端末装置のディスプレイ情報を受信する通信部をさらに含み、前記制御部は、前記抽出したクロップ領域に対する情報を用いて前記デコーディングしたビデオデータをクロップし、前記通信部は、前記デコーディングしたビデオデータのクロップした領域を前記第２の端末装置に伝送することができる。
【００２１】
一方、前記制御部は、前記受信した画面比率情報と前記クロップ領域の画面比率とを比較し、これらが同一でない場合、既に設定された領域にＡＦＤバーを挿入することができる。
【００２２】
そして、前記制御部は、前記受信した第２の端末装置のディスプレイ情報に基づいて前記ビデオデータのフォーマットを変換することができる。
【００２３】
一方、前記ビデオデータのフォーマットは、フレームレート、ビットデプス及びクロマサンプリングのうち少なくとも一つを含むことができる。
【００２４】
そして、前記クロップ領域は複数存在し、前記制御部は、前記複数のクロップ領域のうち一つのクロップ領域を選択できる選択画面を出力するように前記ディスプレイ部を制御することができる。
【００２５】
また、前記制御部は、前記抽出したクロップ領域に対する情報を用いて前記デコーディングしたビデオデータの少なくとも一つの領域をクロップし、前記ディスプレイ部の画面比率が１６：９である場合、前記ディスプレイ部を分割し、前記クロップした少なくとも一つの領域を出力するように制御することができる。
【００２６】
また、前記制御部は、前記抽出したクロップ領域に対する情報を用いて前記デコーディングしたビデオデータの少なくとも一つの領域をクロップし、前記ディスプレイ部の画面比率が２１：９である場合、前記ディスプレイ部をメイン領域と付加領域とに分割し、メイン領域は前記デコーディングしたビデオデータを出力し、前記付加領域は前記少なくとも一つのクロップした領域を出力するように制御することができる。
【００２７】
上述した目的を達成するための一実施例として、信号送信装置は、ビデオデータをエンコーディングするエンコーダーと、前記ビデオデータのうちクロップ領域を設定し、前記クロップ領域に対する情報を含むシグナリング情報を生成するシグナリング情報生成部と、前記エンコーディングしたビデオデータ及び前記シグナリング情報を多重化する多重化部と、前記多重化したビデオデータとシグナリング情報を伝送する通信部を含む。
【発明の効果】
【００２８】
本発明の実施例によると、別途のストリームなしでも第２の端末装置や信号受信装置でＲＯＩビデオを提供することができる。
【００２９】
本発明の実施例によると、ＵＨＤチャンネルで提供するビデオのうちＲＯＩ領域を第２の端末装置でディスプレイすることができる。
【００３０】
本発明の実施例によると、特定のビデオの多くの部分を別途のチャンネル割り当てなしでも信号受信装置にディスプレイすることができる。
【００３１】
本発明の実施例によると、信号受信装置と異なる画面比のＵＨＤビデオを視聴するときに画面を効率的に使用することができる。
【図面の簡単な説明】
【００３２】
【図１】本発明の一実施例に係るクロップされたビデオを第２の端末装置でディスプレイする方法を説明する図である。
【図２】本発明の一実施例に係るクロップされたビデオを第２の端末装置でディスプレイする方法のフローチャートである。
【図３】本発明の他の実施例に係るクロップされたビデオを第２の端末装置でディスプレイする方法を説明する図である。
【図４】本発明の他の実施例に係るクロップされたビデオを第２の端末装置でディスプレイする方法のフローチャートである。
【図５】本発明の一実施例に係る第２の端末装置に伝送するクロップビデオを構成する方法を説明する図である。
【図６】本発明の一実施例に係る複数のクロップされたビデオを再構成してディスプレイする方法を説明する図である。
【図７】本発明の一実施例に係る複数のクロップされたビデオを再構成してディスプレイする方法のフローチャートである。
【図８】本発明の一実施例に係る２１：９信号受信装置の余剰領域にクロップされたビデオをディスプレイする方法を説明する図である。
【図９】本発明の一実施例に係る２１：９信号受信装置の余剰領域にクロップされたビデオをディスプレイする方法のフローチャートである。
【図１０】本発明の一実施例に係るＳＥＩシグナリング情報を説明する図である。
【図１１】本発明の一実施例に係るクロップされたビデオ情報をシグナリングする方法を説明する図である。
【図１２】本発明の一実施例に係るクロップされたビデオの解像度情報をシグナリングする方法を説明する図である。
【図１３】本発明の一実施例に係るクロップされたビデオを第２の端末装置でディスプレイするための情報をシグナリングする方法を説明する図である。
【図１４】本発明の一実施例に係るクロップされたビデオが複数である場合、第２の端末装置でディスプレイするための情報をシグナリングする方法を説明する図である。
【図１５】本発明の一実施例に係る複数のクロップされたビデオを再構成してディスプレイするための情報をシグナリングする方法を説明する図である。
【図１６】本発明の一実施例に係る２１：９信号受信装置の余剰領域にクロップされたビデオをディスプレイするための情報をシグナリングする方法を説明する図である。
【図１７】ＰＥＳパケットの一実施例を説明する図である。
【図１８】ＰＥＳパケットの一実施例を説明する図である。
【図１９】本発明の一実施例に係るクロップされたビデオを処理してディスプレイする方法を説明する図である。
【図２０】本発明の一実施例に係る信号送信装置の制御方法のフローチャートである。
【図２１】本発明の一実施例に係る信号受信装置の制御方法のフローチャートである。
【図２２】本発明の一実施例に係る信号送信装置のブロック図である。
【図２３】本発明の一実施例に係る信号受信装置のブロック図である。
【発明を実施するための形態】
【００３３】
以下、前記の目的を具体的に実現できる本発明の好ましい実施例を添付の図面を参照して説明する。このとき、図面に図示し、また、これによって説明する本発明の構成と作用は、少なくとも一つの実施例として説明するものであって、これによって本発明の技術的思想とその核心構成及び作用が制限されることはない。
【００３４】
本発明で使用する用語としては、本発明での機能を考慮して可能な限り現在広く使用される一般的な用語を選択したが、これは、当該技術分野に携わる技術者の意図、慣例又は新たな技術の出現などによって変わり得る。また、特定の場合は、出願人が任意に選定した用語もあり、この場合、該当する発明の説明部分でその意味を詳細に記載するだろう。したがって、本発明で使用される用語は、単純な用語の名称でなく、その用語が有する意味と本発明の全般にわたった内容に基づいて定義すべきであることを明らかにしておく。
【００３５】
図１は、本発明の一実施例に係るクロップされたビデオを第２の端末装置でディスプレイする方法を説明する図である。
【００３６】
図１を参照すると、ＵＨＤビデオをディスプレイする信号受信装置（例えば、ＵＨＤＴＶ）とクロップされたビデオをディスプレイする第２の端末装置（又は２ｎｄ  ｄｅｖｉｃｅ）が示されている。第２の端末装置は、１個のクロップされた座標を用いて信号受信装置（又はｓｙｎｃ  ｄｅｖｉｃｅ）でクロップされたビデオをディスプレイすることができる。第２の端末装置でディスプレイするビデオは、信号受信装置内にＰＩＰ（Ｐｉｃｔｕｒｅ  Ｉｎ  Ｐｉｃｔｕｒｅ）に挿入することができる。ＰＩＰに挿入されるとき、信号受信装置は、クロップされたＲＯＩ（Ｒｅｇｉｏｎ  Ｏｆ  Ｉｎｔｅｒｅｓｔ）ビデオをスケーリングしてＰＩＰ形態で提供することによって、ユーザーはクローズアップ（ｃｌｏｓｅ  ｕｐ）されたビデオを視聴することができる。ＲＯＩ領域は、ユーザーが関心を持つ領域又はクロップされ得る領域を意味する。したがって、本発明では、ＲＯＩ領域とクロップ領域は類似する意味で使用する。
【００３７】
第２の端末装置は、端末装置に対する情報を信号受信装置に伝送することができる。第２の端末装置の仕様及び機器を連結するインターフェース処理能力によって、信号受信装置は、プロファイル（ｐｒｏｆｉｌｅ）及びレベル（ｌｅｖｅｌ）を選択し、プロファイル及びレベルに合わせてクロップしたビデオをディスプレイすることができる。信号受信装置は、ビデオのフレームレートが異なる場合、フレームドロッピング（ｆｒａｍｅ  ｄｒｏｐｐｉｎｇ）を行うこともできる。
【００３８】
プロファイルは、該当のビデオストリームに対するプロファイル、すなわち、該当のストリームをデコーディングするために必要な基本仕様を示すことができる。例えば、プロファイルは、該当のビデオストリームのクロマサブサンプリング（ｃｈｒｏｍａ  ｓｕｂｓａｍｐｌｉｎｇ）（例えば、４：２：０、４：２：２など）、ビットデプス（例えば、８ビット、１０ビット）、コーディングツール（ｃｏｄｉｎｇ  ｔｏｏｌ）などに対する要求（ｒｅｑｕｉｒｅｍｅｎｔ）情報などを含むことができる。レベルは、該当のビデオストリームに対するレベル、すなわち、プロファイルで定義した技術要素をどの範囲までサポートするのかに対して定義することができ、例えば、解像度、フレームレート、ビットレート（ｂｉｔ  ｒａｔｅ）などを含むことができる。
【００３９】
一実施例として、信号受信装置は、第２の端末装置がタブレットであると、３個のプロファイル（例えば、ラージスクリーンプロファイル（ｌａｒｇｅ  ｓｃｒｅｅｎ  ｐｒｏｆｉｌｅ）、ミディアムスクリーンプロファイル（ｍｅｄｉｕｍ  ｓｃｒｅｅｎ  ｐｒｏｆｉｌｅ）、及びスモールスクリーンプロファイル（ｓｍａｌｌ  ｓｃｒｅｅｎ  ｐｒｏｆｉｌｅ））のうちミディアムスクリーンプロファイルを選択し、画面比率を確認することができる。プロファイルは、スクリーンサイズを基準にして区分することができ、画面比率情報は、解像度から計算することができる。もし、クロップされたビデオの画面比率（画面比率情報は、シグナリングされないとしても解像度から計算することができる。）が１６：９で、第２の端末装置の画面比率（画面比率情報は、シグナリングされないとしても解像度から計算することができる。）が４：３であると、レターボックス（ｌｅｔｔｅｒｂｏｘ）を挿入しなければならない。信号受信装置は、ユーザーの選択によってレターボックスをビデオに挿入したり、ビデオを一側にシフティング（ｓｈｉｆｔｉｎｇ）してディスプレイし、残った空間は追加アプリケーション実行のための空間として使用することができる。又は、信号受信装置は、１６：９画面比率でクロップするのではなく、クロップのための開始座標を有してビデオを第２の端末装置の画面比率に合わせてクロップし、画面に合わせて出力することもできる。
【００４０】
すなわち、信号送信装置は、ＵＨＤビデオを含むストリームとビデオをクロップするための座標及び一部のクロップサイズなどの追加情報を伝送し、信号受信装置はＵＨＤビデオをディスプレイし、信号受信装置はクローズアップ又はズームインされたビデオを第２の端末装置にそれぞれの端末装置の特性に合わせて伝送できるので、追加ストリームなしでもクローズアップ／ズームインされたビデオを他の端末装置で受信することができる。第２の端末装置の特徴は、区分されたプロファイルやレベルなどで表示して伝送することができる。
【００４１】
図２は、本発明の一実施例に係るクロップされたビデオを第２の端末装置でディスプレイする方法のフローチャートである。
【００４２】
図２を参照すると、ビデオのＲＯＩ領域をクロップし、クロップされたデータを第２の端末装置に伝送する方法のフローチャートが示されている。
【００４３】
信号受信装置は、信号送信装置からＵＨＤビデオデータを含むストリームとクロップ座標などのクロップ情報を含むシグナリング情報を受信することができる。
【００４４】
信号受信装置は、受信されたビデオデータを含むストリーム及びクロップ情報を含むシグナリング情報を逆多重化することができる（Ｓ１０５）。信号受信装置は、逆多重化されたシグナリング情報及びビデオストリームに含まれたビデオデータを復号化することができる（Ｓ１１０）。信号受信装置は、第２の端末装置（ｔａｒｇｅｔ  ｄｅｖｉｃｅ）へのデータ伝送の有無を判断することができる（Ｓ１１５）。
【００４５】
信号受信装置が第２の端末装置にデータを伝送しないと判断すると、ズームモードの有無を判断することができる（Ｓ１２０）。ズームモードは、ＲＯＩ領域をクロップしてディスプレイすることを意味することができる。信号受信装置は、ズームモードでないと判断すると、クロップ座標を無視し、受信されたＵＨＤビデオデータを出力することができる（Ｓ１２５）。すなわち、１６：９信号受信装置（ＵＨＤＴＶ又はメインスクリーンデバイス（ｍａｉｎ  ｓｃｒｅｅｎ  ｄｅｖｉｃｅ））は、クロップ座標を無視し、ＵＨＤビデオデータをディスプレイすることができる（Ｓ１３０）。
【００４６】
信号受信装置は、ズームモードであると判断すると、ＲＯＩ領域をクロップしてスケーリングすることができる（Ｓ１３５）。すなわち、１６：９信号受信装置（ＵＨＤＴＶ又はメインスクリーンデバイス）は、ズームモードであると判断すると、クロップされた座標を適用し、ＲＯＩ領域をクロップ及びスケーリングして出力することができる（Ｓ１３０）。
【００４７】
信号受信装置が第２の端末装置にデータを伝送すると判断すると、信号受信装置は、ビデオデータのコンバーション（ｃｏｎｖｅｒｓｉｏｎ）の有無を判断することができる（Ｓ１４０）。信号受信装置は、コンバーションの有無を判断する前に、第２の端末装置からレベル情報を受信することができる（Ｓ１４５）。信号受信装置は、受信したレベル情報に基づいてビデオデータのコンバーションの有無を判断することができる。信号受信装置は、第２の端末装置のディスプレイ可能な最大仕様及びインターフェース情報を感知し、フレームレート、ビットデプス及びクロマサンプリングに関する値をコンバーションすることができる（Ｓ１５０）。
【００４８】
信号受信装置は、１個のクロップ座標情報を用いてＵＨＤビデオデータのうち１６：９ＨＤビデオデータをクロップすることができる（Ｓ１５５）。信号受信装置は、第２の端末装置の画面比率（Ｄｅｖｉｃｅ＿ＡＲ）とクロップされたＲＯＩ領域の画面比率（ＲＯＩ＿ＡＲ）とが同一であるか否かを判断することができる（Ｓ１６０）。第２の端末装置の画面比率は、第２の端末装置から伝送される解像度情報を用いて判断することができる。そして、クロップされたＲＯＩ領域の画面比率は、信号送信装置から伝送されるクロップ情報から算出することができる。
【００４９】
第２の端末装置の画面比率とクロップされたＲＯＩ領域の画面比率とが同一であると、信号受信装置は、デコーディングされてクロップされたビデオデータをインターフェースを介して第２の端末装置に伝送することができる。第２の端末装置は、受信されたビデオデータをそのまま出力することができる。
【００５０】
第２の端末装置の画面比率（Ｄｅｖｉｃｅ＿ＡＲ）とクロップされたＲＯＩ領域の画面比率（ＲＯＩ＿ＡＲ）とが同一でないと、信号受信装置は、画面比率の大小関係を判断することができる。例えば、画面比率の大小関係は幅（ｗｉｄｅｎｅｓｓ）を基準にして判断することができる（Ｓ１６５）。
【００５１】
Ｄｅｖｉｃｅ＿ＡＲがＲＯＩ＿ＡＲより大きい場合、信号受信装置は、ＡＦＤバー適用の有無を判断することができる（Ｓ１７０）。例えば、Ｄｅｖｉｃｅ＿ＡＲは２１：９で、ＲＯＩ＿ＡＲは１６：９であり得る。信号受信装置がＡＦＤバーを適用すると判断すると、クロップされたビデオの左右側面にピラーボックス（ｐｉｌｌａｒｂｏｘ）を挿入することができる（Ｓ１７５）。信号受信装置がＡＦＤバーを適用しないと判断すると、第２の端末装置の特定座標をビデオデータの基準座標として設定することができる（Ｓ１８０）。例えば、ビデオを一側にシフティングしてディスプレイし、残った空間は追加アプリケーション実行のための空間として割り当てることができる。
【００５２】
Ｄｅｖｉｃｅ＿ＡＲがＲＯＩ＿ＡＲより小さい場合、信号受信装置は、ＡＦＤバー適用の有無を判断することができる（Ｓ１８５）。例えば、Ｄｅｖｉｃｅ＿ＡＲは４：３で、ＲＯＩ＿ＡＲは１６：９であり得る。信号受信装置がＡＦＤバーを適用すると判断すると、クロップされたビデオの上下側面にレターボックスを挿入することができる（Ｓ１９０）。信号受信装置がＡＦＤバーを適用しないと判断すると、第２の端末装置の特定座標をビデオデータの基準座標として設定することができる（Ｓ１９５）。例えば、ビデオを一側にシフティングしてディスプレイし、残った空間は追加アプリケーション実行のための空間として割り当てることができる。
【００５３】
信号受信装置は、デコーディングされてクロップされたビデオをインターフェースを介して第２の端末装置に伝送することができる。第２の端末装置は、受信したクロップされたビデオをディスプレイすることができる。
【００５４】
ＵＨＤビデオは、信号受信装置でディスプレイすることができる。そして、ＵＨＤビデオをデコーディングできない端末装置も、デコーディングされてクロップされたビデオをインターフェースを介して受信してディスプレイすることができる。信号受信装置は、第２の端末装置に適したビデオ仕様を第２の端末装置から伝送される情報を通じて認識することができる。信号受信装置は、適切なプロファイル及びレベルに該当するビデオを第２の端末装置に伝送することができる。
【００５５】
図３は、本発明の他の実施例に係るクロップされたビデオを第２の端末装置でディスプレイする方法を説明する図である。
【００５６】
図３を参照すると、複数のＲＯＩ領域をクロップできる信号受信装置が示されている。信号受信装置は、多数の座標を用いて複数のＲＯＩ領域をクロップすることができ、選択されたＲＯＩ領域は第２の端末装置でディスプレイすることができる。クロップするＲＯＩ領域は、信号受信装置で選択することができ、第２の端末装置で選択することができる。また、第２の端末装置でディスプレイされるビデオは、信号受信装置でＰＩＰに挿入することもできる。
【００５７】
信号送信装置は、ＵＨＤビデオストリームと共に、クロップ座標、クロップされるＲＯＩ領域（ｔａｒｇｅｔ）に対する数字及び画面構成情報などを伝送することができる。例えば、図３に示したように、サッカー競技映像が伝送される場合、ホームチームに対するビデオは１番、遠征チームに対するビデオは２番、主要選手達に対する情報は３番、４番などにナンバリングされ、クロップ座標と共に伝送することができる。
【００５８】
ＲＯＩ領域は、クロップ座標及び数字に基づいて信号受信装置や第２の端末装置でユーザーによって直接選択することができる。例えば、信号受信装置は、選択可能なＲＯＩ領域リストを含むＵＩをディスプレイし、ユーザーによって選択されたＲＯＩ領域を第２の端末装置に伝送してディスプレイすることができる。又は、第２の端末装置が選択可能なＲＯＩ領域リストを含むＵＩをディスプレイし、ユーザーによって選択されたＲＯＩ領域を信号受信装置から受信してディスプレイすることができる。場合に応じて、信号受信装置は、ディスプレイされるビデオ上にクロップ領域を表示し、リモートコントローラーなどを通じて入力された選択命令に従ってＲＯＩ領域を選択することができる。クロップ領域は、色相などで区分して表示することができる。
【００５９】
ＲＯＩ領域が選択されると、第２の端末装置が自身の情報を信号受信装置に伝送し、信号受信装置は、第２の端末装置の仕様や装置を連結するインターフェースの容量などに合わせてビデオを圧縮されていない（ｕｎｃｏｍｐｒｅｓｓｅｄ）形態でインターフェースを介して伝達することができる。例えば、インターフェースは、ＨＤＭＩ、ＷｉＨＤ、ＷｉＧｉｇ、ワイヤレスディスプレイ（Ｗｉｒｅｌｅｓｓ  Ｄｉｓｐｌａｙ）、ＨＤＢａｓｅＴなどになり得る。
【００６０】
また、クロップ領域と第２の端末装置の画面比率が異なる場合、上述したように、ピラーボックス又はレターボックスを挿入することができ、一定領域は追加アプリケーション実行のための空間として残すことができる。
【００６１】
すなわち、ＵＨＤビデオのうち、複数のＲＯＩ領域をクロップできる座標、ＲＯＩを整列できる数字及び構成情報などを共に伝送することができる。ＲＯＩ領域は、伝送された情報に基づいてユーザーによって選択することができ、選択されたＲＯＩ領域は、第２の端末装置でディスプレイすることができる。第２の端末装置の特徴は、区分されたプロファイルやレベルなどで表示して伝送することができる。
【００６２】
図４は、本発明の他の実施例に係るクロップされたビデオを第２の端末装置でディスプレイする方法のフローチャートである。
【００６３】
図４を参照すると、複数のＲＯＩ領域のうち一つのＲＯＩ領域をクロップし、クロップされたデータを第２の端末装置に伝送する方法のフローチャートが示されている。信号受信装置は、信号送信装置からＵＨＤビデオデータを含むストリームとクロップ座標などのクロップ情報を含むシグナリング情報を受信することができる。
【００６４】
信号受信装置は、受信されたビデオデータを含むストリーム及びクロップ情報を含むシグナリング情報を逆多重化することができる（Ｓ２０３）。信号受信装置は、逆多重化されたシグナリング情報及びビデオストリームに含まれたビデオデータを復号化することができる（Ｓ２０５）。信号受信装置は、復号化されたシグナリング情報からクロップ領域に対する情報を抽出することができる。信号受信装置は、第２の端末装置へのデータ伝送の有無を判断することができる（Ｓ２０７）。
【００６５】
信号受信装置が第２の端末装置にデータを伝送しないと判断すると、ズームモードの有無を判断することができる（Ｓ２１０）。ズームモードは、ＲＯＩ領域をクロップしてディスプレイするモードであり得る。信号受信装置は、ズームモードでないと判断すると、クロップ座標を無視することができる（Ｓ２１３）。１６：９信号受信装置（ＵＨＤＴＶ又はメインスクリーンデバイス）は、クロップ座標を無視し、ＵＨＤビデオデータをディスプレイすることができる（Ｓ２１５）。
【００６６】
クロップできるＲＯＩ領域は複数存在することができる。信号受信装置は、ズームモードであると判断すると、クロップ領域を選択することができる（Ｓ２１７）。クロップ領域の選択は、ユーザーの選択命令に従って行うことができる。信号受信装置は、ＲＯＩ領域をクロップしてスケーリングすることができる（Ｓ２２０）。信号受信装置は、ズームモードであると判断すると、クロップされた座標を適用し、ＲＯＩ領域をクロップ及びスケーリングして出力することができる（Ｓ２１５）。
【００６７】
信号受信装置が第２の端末装置にデータを伝送すると判断すると、信号受信装置は、ビデオデータのコンバーションの有無を判断することができる（Ｓ２２３）。信号受信装置は、コンバーションの有無を判断する前に、第２の端末装置からレベル情報を受信することができる（Ｓ２２５）。信号受信装置は、受信されたレベル情報に基づいてビデオデータのコンバーションの有無を判断することができる。信号受信装置は、第２の端末装置のディスプレイ可能な最大仕様及びインターフェース情報を感知し、フレームレート、ビットデプス、クロマサンプリングに関する値をコンバーションすることができる（Ｓ２２７）。また、信号受信装置は、第２の端末装置でディスプレイ可能な最大仕様及びインターフェース情報を感知し、フレームドロッピングを行うことができる。
【００６８】
信号受信装置は、複数の領域のうち一つのクロップ領域を選択することができる（Ｓ２３０）。例えば、信号受信装置は、所望の領域を選択できるＵＩを表示し、ユーザーから選択命令の入力を受けることができる。又は、第２の端末装置は、所望の領域を選択できるＵＩを表示し、ユーザーから選択命令の入力を受けることができる。場合に応じて、信号受信装置は、画面内でクロップされ得る領域を表示し、リモコンなどを用いたユーザーの選択命令に従って一つのクロップ領域を選択することができる。
【００６９】
信号受信装置は、クロップ座標情報を用いて選択されたＲＯＩ領域をクロップすることができる（Ｓ２３３）。信号受信装置は、第２の端末装置の画面比率（Ｄｅｖｉｃｅ＿ＡＲ）とクロップされたＲＯＩ領域の画面比率（ＲＯＩ＿ＡＲ）とが同一であるか否かを判断することができる（Ｓ２３５）。第２の端末装置の画面比率は、第２の端末装置から伝送される解像度情報を用いて判断することができる。そして、クロップされたＲＯＩ領域の画面比率は、信号送信装置から伝送されるクロップ情報から算出することができる。
【００７０】
第２の端末装置の画面比率とクロップされたＲＯＩ領域の画面比率とが同一であると、信号受信装置は、デコーディングされてクロップされたビデオデータをインターフェースを介して第２の端末装置に伝送することができる。第２の端末装置は、受信されたビデオデータをそのまま出力することができる。
【００７１】
第２の端末装置の画面比率（Ｄｅｖｉｃｅ＿ＡＲ）とクロップされたＲＯＩ領域の画面比率（ＲＯＩ＿ＡＲ）とが同一でないと、信号受信装置は、画面比率の大小関係を判断することができる。例えば、画面比率の大小関係は幅を基準にして判断することができる（Ｓ２３７）。
【００７２】
Ｄｅｖｉｃｅ＿ＡＲがＲＯＩ＿ＡＲより大きい場合、信号受信装置はＡＦＤバー適用の有無を判断することができる（Ｓ２４０）。例えば、Ｄｅｖｉｃｅ＿ＡＲは２１：９で、ＲＯＩ＿ＡＲは１６：９であり得る。信号受信装置がＡＦＤバーを適用すると判断すると、クロップされたビデオの左右側面にピラーボックスを挿入することができる（Ｓ２４３）。信号受信装置がＡＦＤバーを適用しないと判断すると、第２の端末装置の特定座標をビデオデータの基準座標として設定することができる（Ｓ２４５）。例えば、ビデオを一側にシフティングしてディスプレイし、残った空間は追加アプリケーション実行のための空間として割り当てることができる。
【００７３】
Ｄｅｖｉｃｅ＿ＡＲがＲＯＩ＿ＡＲより小さい場合、信号受信装置はＡＦＤバー適用の有無を判断することができる（Ｓ２４７）。例えば、Ｄｅｖｉｃｅ＿ＡＲは４：３で、ＲＯＩ＿ＡＲは１６：９であり得る。信号受信装置がＡＦＤバーを適用すると判断すると、クロップされたビデオの上下側面にレターボックスを挿入することができる（Ｓ２５０）。信号受信装置がＡＦＤバーを適用しないと判断すると、第２の端末装置の特定座標をビデオデータの基準座標として設定することができる（Ｓ２５３）。例えば、ビデオを一側にシフティングしてディスプレイし、残った空間は追加アプリケーションのための空間として割り当てることができる。
【００７４】
信号受信装置は、デコーディングされてクロップされたビデオをインターフェースを介して第２の端末装置に伝送することができる。第２の端末装置は、受信したクロップされたビデオをディスプレイすることができる。
【００７５】
クロップできる多数のＲＯＩ領域のうち、ユーザーによって選択されたＲＯＩ領域のビデオは第２の端末装置に伝送することができる。ＵＨＤビデオをデコーディングできない端末装置も、デコーディングされてクロップされたビデオをインターフェースを介して受信してディスプレイすることができる。信号受信装置は、第２の端末装置に適したビデオ仕様を第２の端末装置から伝送される情報を通じて認識することができる。信号受信装置は、適切なプロファイル及びレベルに該当するビデオを第２の端末装置に伝送することができる。
【００７６】
図５は、本発明の一実施例に係る第２の端末装置に伝送するクロップビデオを構成する方法を説明する図である。
【００７７】
図５を参照すると、第２の端末装置は、第２の端末装置の情報を信号受信装置に伝送することができる（Ｓ３０５）。信号受信装置が第２の端末装置にクロップされたビデオを伝送するためには、第２の端末装置でディスプレイ可能なプロファイル及びレベル情報が必要である。レベル情報は、コーデックで使用するレベルと同一に定義することができる。すなわち、レベルは、ＨＥＶＣで定義したレベルと同一であり得る。例えば、ＨＥＶＣ規格に定義されたビデオレベルは１〜６．２レベルまで定義されており、レベル１はＱＣＩＦ（１７６×１４４）を１秒当たり１５フレームで復号化できる仕様を意味し、レベル６．２は８Ｋ映像を１秒当たり１２０フレームで再生できるように定義される。
【００７８】
一実施例として、第２の端末装置は、スマートフォンというプロファイル、レベル４（Ｆｕｌｌ  ＨＤ、３０フレーム）というレベル情報、４：３という画面比率情報を信号受信装置に伝送することができる。すなわち、信号受信装置は、画面比率情報を含む第２の端末装置のディスプレイ情報を受信することができる。
【００７９】
信号受信装置は、ビデオに対する情報を信号送信装置から受信することができる（Ｓ３１０）。一実施例として、受信したビデオに対する情報は、１９２０×１０８０というクロップ領域解像度情報、１２０フレームというクロップビデオフレームレート情報、及び１６：９というクロップ領域画面比率情報を含むことができる。したがって、信号受信装置でクロップされたビデオは１２０フレームで、第２の端末装置でディスプレイ可能な仕様は３０フレームであるので、フレームレート変換（ｆｒａｍｅ  ｒａｔｅ  ｃｏｎｖｅｒｓｉｏｎ）が必要である。信号受信装置は、抽出されたクロップ領域に対する情報を用いてデコーディングされたビデオデータをクロップすることができる。
【００８０】
信号受信装置は、フレームレートを変換することができる（Ｓ３１５）。例えば、信号受信装置は、４フレームを１フレームに変換することができる。これによって、フレームドロッピングが発生し得る。
【００８１】
信号受信装置は、フレームレート変換のみならず、ビットデブス及びクロマサブサンプリング変換（ｃｈｒｏｍａ  ｓｕｂ―ｓａｍｐｌｉｎｇ  ｃｏｎｖｅｒｓｉｏｎ）も行うことができる（Ｓ３２０）。すなわち、信号受信装置は、受信した第２の端末装置のディスプレイ情報に基づいてビデオデータのフォーマットを変換することができる。ビデオデータのフォーマットは、フレームレート、ビットデプス及びクロマサンプリングのうち少なくとも一つを含むことができる。
【００８２】
信号受信装置は、第２の端末装置の画面比率とクロップされたＲＯＩ領域の画面比率とが同一であるか否かを判断することができる（Ｓ３２５）。第２の端末装置の画面比率とクロップされたＲＯＩ領域の画面比率とが同一であると、信号受信装置は、クロップされたビデオデータをインターフェースを介して第２の端末装置に伝送することができる。第２の端末装置は、受信されたビデオデータをそのまま出力することができる（Ｓ３３０）。
【００８３】
第２の端末装置の画面比率（ｄｅｖｉｃｅ＿ａｓｐｅｃｔ＿ｒａｔｉｏ）とクロップされたＲＯＩ領域の画面比率（ＲＯＩ＿ｖｉｄｅｏ＿ａｓｐｅｃｔ＿ｒａｔｉｏ）とが同一でないと、信号受信装置は画面比率の大小関係を判断することができる（Ｓ３３５）。
【００８４】
第２の端末装置の画面比率がクロップされたＲＯＩ領域の画面比率より小さい場合、信号受信装置は、ＡＦＤバー適用の有無を判断することができる（Ｓ３４０）。例えば、第２の端末装置の画面比率は４：３で、クロップされたＲＯＩ領域の画面比率は１６：９であり得る。信号受信装置がＡＦＤバーを適用しないと判断すると、第２の端末装置の特定座標をビデオデータの基準座標として設定することができる（Ｓ３４５）。例えば、ビデオを一側にシフティングしてディスプレイし、残った空間は追加アプリケーション実行のための空間として割り当てることができる。信号受信装置がＡＦＤバーを適用すると判断すると、クロップされたビデオの上下側面にレターボックスを挿入することができる（Ｓ３５０）。
【００８５】
第２の端末装置の画面比率がクロップされたＲＯＩ領域の画面比率より大きい場合、信号受信装置はＡＦＤバー適用の有無を判断することができる（Ｓ３５５）。例えば、Ｄｅｖｉｃｅ＿ＡＲは２１：９で、ＲＯＩ＿ＡＲは１６：９であり得る。信号受信装置がＡＦＤバーを適用すると判断すると、クロップされたビデオの左右側面にピラーボックスを挿入することができる（Ｓ３６０）。信号受信装置がＡＦＤバーを適用しないと判断すると、第２の端末装置の特定座標をビデオデータの基準座標として設定することができる（Ｓ３４５）。例えば、ビデオを一側にシフティングしてディスプレイし、残った空間は追加アプリケーション実行のための空間として割り当てることができる。すなわち、信号受信装置は、第２の端末装置の画面比率情報とクロップ領域の画面比率情報とを比較し、これらが同一でないと、既に設定された領域にＡＦＤバーを挿入することができる。
【００８６】
信号受信装置は、デコーディングされたビデオデータのクロップされた領域をインターフェースを介して第２の端末装置に伝送することができる。第２の端末装置は、受信したクロップされたビデオをディスプレイすることができる。
【００８７】
図６は、本発明の一実施例に係る複数のクロップされたビデオを再構成してディスプレイする方法を説明する図である。
【００８８】
図６を参照すると、複数のクロップされたビデオをディスプレイする信号受信装置が示されている。上述したように、それぞれのクロップされた領域は、全体の画面に追加されてＰＩＰ形態で具現することもできる。
【００８９】
信号受信装置は、多数のＲＯＩ領域をクロップできる多数の座標を信号送信装置から受信することができる。信号受信装置は、マルチチャンネルモードに転換することを指示する入力を受ける場合、複数のＲＯＩ領域を一度にディスプレイすることができる。複数のＲＯＩ領域は、ユーザーが予め選択しておいた領域又はクロップされた全ての領域であり得る。すなわち、信号受信装置は、別途のストリームなしでも、多くの地点で同時に進行される画面をクローズアップされた形態で一度にディスプレイすることができる。
【００９０】
信号送信装置が伝送する座標は、４個以上又は以下にもなり得る。信号送信装置が４個以上の座標を伝送する場合にも、信号受信装置は、デフォルトとして設定された４個の領域をディスプレイした後、ユーザーが選択した領域にディスプレイ画面を変更することができる。又は、信号受信装置は、ユーザーのセッティングによってディスプレイする領域の個数及び構成を設定することもできる。すなわち、信号受信装置は、４個でないＮ個の領域を一つの画面にディスプレイすることもできる。
【００９１】
図７は、本発明の一実施例に係る複数のクロップされたビデオを再構成してディスプレイする方法のフローチャートである。
【００９２】
信号受信装置は、ＵＨＤビデオストリームとＭ個のクロップ座標を受信し、ユーザーからマルチチャンネル変換命令の入力を受けると、ディスプレイ画面をＮ個に分割し、ＲＯＩ領域をクローズアップしてディスプレイすることができる。クロップされたＲＯＩ領域は、最初のデフォルトとして設定することができ、ユーザーによって変更することができる。マルチチャンネル変換命令を通じて、ＵＨＤビデオ自体とＮ個に分割されたＲＯＩ領域の各ビデオは、変更してディスプレイすることができる。
【００９３】
図７を参照すると、信号受信装置は、受信したビデオデータを含むストリーム及びクロップ情報を含むシグナリング情報を逆多重化することができる（Ｓ４１０）。信号受信装置は、逆多重化されたシグナリング情報及びビデオストリームに含まれたビデオデータを復号化することができる（Ｓ４２０）。例えば、信号受信装置は、ＵＨＤビデオストリームと４個のクロップ座標を含むシグナリング情報を復号化することができる。クロップ座標は、４個以上又は以下になり得る。クロップ座標の個数は信号送信装置で決定することができる。クロップ情報は、複数のクロップ座標を整列できるナンバリング情報を含むことができる。信号受信装置は、復号化されたシグナリング情報からクロップ領域に対する情報を抽出することができる。すなわち、クロップ領域に対する情報は、少なくとも一つのクロップ座標及び複数のクロップ座標が含まれた場合、複数のクロップ座標を整列できるナンバリング情報を含むことができる。信号受信装置は、クロップ領域を選択し、ナンバリング情報を用いてクロップ座標を整列することができる（Ｓ４３０）。
【００９４】
信号受信装置は、マルチチャンネルモードの有無を判断することができる（Ｓ４４０）。信号受信装置は、マルチチャンネルモードである場合、受信したＭ個のクロップ座標を用いて１６：９ＨＤ画面にクロップし、クロップした画面をディスプレイすることができる（Ｓ４５０）。信号受信装置は、Ｎ個に分割されたクロップ領域ビデオを信号受信装置画面の指定された領域にディスプレイすることができる。すなわち、信号受信装置は、抽出されたクロップ領域に対する情報を用いてデコーディングされたビデオデータの少なくとも一つの領域をクロップすることができる。ディスプレイ部の画面比率が１６：９である場合、信号受信装置は、ディスプレイ部を分割し、クロップされた少なくとも一つの領域のビデオを指定された領域にディスプレイすることができる。
【００９５】
信号受信装置は、マルチチャンネルモードでない場合、クロップ座標を無視し、ＵＨＤビデオのみをディスプレイすることができる（Ｓ４６０）。
【００９６】
信号受信装置は、ＲＯＩ領域をクロップできる座標を受信し、マルチチャンネルモードが実行されると、ＵＨＤビデオのうち同一のサイズでクロップされたズームインされた多数のＲＯＩ領域に分割し、分割された多数のＲＯＩ領域ビデオをディスプレイすることができる。
【００９７】
ユーザーがズームインされた特定のビデオの多くの部分を視聴しようとするとき、信号受信装置は、別途のチャンネル割り当てなしでも特定のビデオの多くの部分をディスプレイすることができる。
【００９８】
図８は、本発明の一実施例に係る２１：９信号受信装置の余剰領域にクロップされたビデオをディスプレイする方法を説明する図である。
【００９９】
図８を参照すると、全体の画面と同時にクロップ領域をディスプレイする信号受信装置が示されている。図８に示した信号受信装置は、２１：９画面比率のディスプレイ領域を効率的に使用することができる。クロップされた映像はＰＩＰ形態で提供することもできる。
【０１００】
２１：９の信号受信装置が１６：９のビデオをディスプレイする場合、左右側にピラーボックスを挿入したり、映像をスケーリングし、上下側領域をクロップしてディスプレイすることができる。しかし、図８に示したディスプレイ方法が使用されると、信号受信装置は、１６：９ピラーボックス／レターボックスを挿入したり、全体の映像をクロップする必要がない。信号受信装置は、１６：９ビデオを左側上端或いは右側上端からディスプレイし、残った領域には、クロップ座標を用いてクロップしてクローズアップされたビデオを挿入してディスプレイすることができる。
【０１０１】
クロップ領域は、方法１のように、信号受信装置内の余剰領域にチェックボックスを通じて選択することができる。そして、クロップ領域は、方法２のように、スクロールバーを通じてユーザーによって選択することができる。また、クロップ領域は、方法３のように、ＵＨＤメインビデオが出力される部分でリモクンなどを用いてクリックしたり、余剰領域にドラッグすることによって選択することもできる。
【０１０２】
２１：９信号受信装置は、１６：９ビデオをディスプレイし、ピラーボックスが挿入されていた余剰領域にクロップしてズームインされたＲＯＩ領域をディスプレイすることができる。すなわち、信号受信装置は、別途のデコーダーなしでもディスプレイ余剰領域を効率的に使用することができる。
【０１０３】
図９は、本発明の一実施例に係る２１：９信号受信装置の余剰領域にクロップされたビデオをディスプレイする方法のフローチャートである。
【０１０４】
図９を参照すると、信号受信装置は、受信したビデオデータを含むストリーム及びクロップ情報を含むシグナリング情報を逆多重化することができる（Ｓ５１０）。信号受信装置は、逆多重化されたシグナリング情報及びビデオストリームに含まれたビデオデータを復号化することができる（Ｓ５２０）。信号受信装置は、ＵＨＤビデオストリームとＮ個のクロップ座標を含むシグナリング情報を復号化することができる。クロップ座標はＮ個以上になり得る。クロップ座標の個数は信号送信装置で決定することができる。クロップ情報は、複数のクロップ座標を整列できるナンバリング情報を含むことができる。信号受信装置は、復号化されたシグナリング情報からクロップ領域に対する情報を抽出することができる。すなわち、クロップ領域に対する情報は、少なくとも一つのクロップ座標及び複数のクロップ座標が含まれた場合、複数のクロップ座標を整列できるナンバリング情報を含むことができる。
【０１０５】
信号受信装置は、メインとマルチチャンネル同時モードの有無を判断することができる（Ｓ５３０）。信号受信装置は、メインとマルチチャンネル同時モードでない場合、クロップ座標を無視することができる（Ｓ５４０）。信号受信装置は、ＡＦＤバーを挿入することができる（Ｓ５５０）。信号受信装置は、ＡＦＤバーが挿入された１６：９ビデオを２１：９ディスプレイ領域にディスプレイすることができる（Ｓ５６０）。
【０１０６】
信号受信装置は、メインとマルチチャンネル同時モードである場合、クロップ領域を選択することができる（Ｓ５７０）。クロップ領域の選択時には、ナンバリング情報を用いることができる。信号受信装置は、選択された領域をクロップすることができる（Ｓ５８０）。信号受信装置は、抽出されたクロップ領域に対する情報を用いてデコーディングされたビデオデータの少なくとも一つの領域をクロップすることができる。
【０１０７】
信号受信装置は、１６：９ビデオとクロップされたＲＯＩ領域を画面構成情報を用いて配置することができる（Ｓ５９０）。例えば、信号受信装置は、１６：９ビデオを左側上端或いは右側上端からディスプレイすることができる。信号受信装置は、座標情報を用いてＮ個のＲＯＩ領域をクロップすることができる。信号受信装置は、座標情報と共に受信された再構成情報によって、残る領域にはクロップされたビデオをディスプレイすることができる。すなわち、信号受信装置は、ディスプレイ領域の画面比率が２１：９である場合、ディスプレイ領域をメイン領域と付加領域とに分割し、メイン領域はデコーディングされたビデオデータを出力し、付加領域は少なくとも一つのクロップされた領域を出力することができる。
【０１０８】
信号受信装置は、１６：９ＵＨＤビデオと多数のクロップ座標を受信し、２１：９ディスプレイ領域の左側又は右側の余剰領域にＲＯＩ領域をディスプレイすることができる。ＲＯＩ領域は、ユーザーによって選択することができ、スクロールバー又はチェックボックスなどを用いて変更することができる。また、信号受信装置は、ビデオ画面内でもクロップ領域を表示し、ＲＯＩ領域はリモートコントローラーなどを用いて選択することができる。１６：９信号受信装置は、クロップ座標及びその他情報を無視し、ＵＨＤビデオのみをディスプレイすることができる。
【０１０９】
したがって、本実施例は、２１：９信号受信装置のディスプレイ領域を効率的に使用することができる。
【０１１０】
信号送信装置は、ビデオストリームとクロップ座標を伝送し、画面構成情報は、別途のシグナリング情報を用いて伝送することができる。又は、信号送信装置は、ビデオストリームとクロップ座標を伝送し、実施例によってＩＤで区別される画面構成情報を伝送し、この情報を信号受信装置で適宜組み合わせ、画面を構成することもできる。
【０１１１】
図１０は、本発明の一実施例に係るＳＥＩシグナリング情報を説明する図である。
【０１１２】
ＳＥＩ（Ｓｕｐｐｌｅｍｅｎｔａｌ  Ｅｎｈａｎｃｅｍｅｎｔ  Ｉｎｆｏｒｍａｔｉｏｎ）メッセージは、ビデオデータのビット列を中間から再生できるように必要な情報を含むことができる。例えば、ＳＥＩメッセージは、復号開始位置及び表示開始イメージに関する情報を含むことができる。図１０では、ＳＥＩメッセージの基本的な情報は省略し、ＩＤで区別される画面構成情報及びクロップ座標情報を伝送する方法に対してのみ説明する。
【０１１３】
一方、一つの例として、コーデックストリームは、ビデオコンテンツの効率的な伝送のためにＮＡＬ（Ｎｅｔｗｏｒｋ  Ａｂｓｔｒａｃｔｉｏｎ  Ｌａｙｅｒ）で構成することができる。ＮＡＬは、ＮＡＬユニットとペイロードを含むことができる。ペイロードには、ＲＢＳＰ（Ｒａｗ  Ｂｙｔｅ  Ｓｅｑｕｅｎｃｅ  Ｐａｙｌｏａｄ）が位置し得る。
【０１１４】
ＵＨＤプロセッシング（ｐｒｏｃｅｓｓｉｎｇ）情報は、ＳＥＩ  ＲＢＳＰを通じて受信することができる。ＵＨＤプロセッシング情報は、ビデオストリームに含ませることができる。信号受信装置は、ＡＶＣ又はＨＥＶＣ  ＮＡＬユニットをパーシングすることができる。信号受信装置は、ＮＡＬユニットタイプ値がＳＥＩデータに該当する値であるか否かと、ペイロードタイプが５１であるか否かを確認し、ＵＨＤＴＶ構成情報（ｃｏｍｐｏｓｉｔｉｏｎ  ｉｎｆｏ）ＳＥＩメッセージを読むことができる。信号受信装置は、ＵＨＤＴＶ構成情報をデコーディングし、現在のビデオストリームに対するＵＨＤ構成情報及び抽出情報などを獲得することができる。
【０１１５】
追加的な情報存在フラグ（ａｄｄｉｔｉｏｎａｌ  ｉｎｆｏ  ｅｘｉｓｔ  ｆｌａｇ）が１である場合、信号受信装置は、追加画面構成を把握するために構成メタデータ（ｃｏｍｐｏｓｉｔｉｏｎ  ｍｅｔａｄａｔａ）をパーシングすることができる。追加的な情報存在フラグが１でない場合、信号受信装置は、ＩＤによってＵＨＤプログラムフォーマットタイプ（ｐｒｏｇｒａｍ  ｆｏｒｍａｔ  ｔｙｐｅ）フィールドのみを確認し、任意に動作することができる。この情報を用いて、信号受信装置は、ＵＨＤストリームとクロップのための座標情報などを用いて構成情報を認識することができ、第２の端末装置にビデオデータを伝送することができる。
【０１１６】
図１１は、本発明の一実施例に係るクロップされたビデオ情報をシグナリングする方法を説明する図である。
【０１１７】
クロップされたビデオ情報（又はクロップ領域に対する情報）は、クロップ領域個数及び１番目のフレームであるか否かを示す情報を含み、クロップ領域の基準座標を示す情報を含むことができる。又は、クロップされたビデオ情報は、基準座標との差値を示す情報を含むことができる。
【０１１８】
画面構成情報に含まれた抽出情報メタデータ（ｅｘｔｒａｃｔｉｏｎ  ｉｎｆｏ  ｍｅｔａｄａｔａ）の具体的な情報は、次の通りである。
【０１１９】
ｎｕｍ＿ｏｆ＿ｃｒｏｐ＿ｃｏｏｒｄｉｎａｔｅｓフィールドは、クロップされる領域の個数を意味する。すなわち、信号送信装置が４個のＲＯＩ領域を伝送する場合、ｎｕｍ＿ｏｆ＿ｃｒｏｐ＿ｃｏｏｒｄｉｎａｔｅｓは４になる。
【０１２０】
ｉｎｉｔｉａｌ＿ｒａｎｄｏｍ＿ａｃｃｅｓｓ＿ｆｒａｍｅフィールドは、ＲＡＰ（Ｒａｎｄｏｍ  Ａｃｃｅｓｓ  Ｐｏｉｎｔ）にデコーディングされる１番目のフレームであるか否かを示す。すなわち、ｉｎｉｔｉａｌ＿ｒａｎｄｏｍ＿ａｃｃｅｓｓ＿ｆｒａｍｅフィールドが１である場合、１番目のフレームを意味する。信号送信装置は、ｉｎｉｔｉａｌ＿ｒａｎｄｏｍ＿ａｃｃｅｓｓ＿ｆｒａｍｅフィールド値を用いてｉｎｉｔｉａｌ＿ｒａｎｄｏｍ＿ａｃｃｅｓｓ＿ｆｒａｍｅである場合のみに座標情報を伝送し、以後のフレームから座標情報のうち差値のみを伝送することができる。信号送信装置は、正確なｃｒｏｐ＿ｃｏｏｒｄｉｎａｔｅ＿ｘ，ｙ値を伝送するためにｉｎｉｔｉａｌ＿ｒａｎｄｏｍ＿ａｃｃｅｓｓ＿ｆｒａｍｅの間隔を細かく割り当てることができる。すなわち、信号送信装置は、クロップ座標情報の伝送間隔を調節することができる。
【０１２１】
ｃｒｏｐｐｅｄ＿ｖｉｄｅｏ＿ｒｅｓｏｌｕｔｉｏｎフィールドは、クロップされた領域のビデオの解像度を示す。解像度は、クロップされる領域によって変わり得る。また、縦横解像度情報を通じて画面比率情報も判断することができる。ＵＨＤＴＶは、ピクセルの縦横の比率が１：１であり得る。
【０１２２】
ｉｎｉｔｉａｌ＿ｃｒｏｐ＿ｃｏｏｒｄｉｎａｔｅ＿ｘ及びｉｎｉｔｉａｌ＿ｃｒｏｐ＿ｃｏｏｒｄｉｎａｔｅ＿ｙフィールドは、四角形状にクロップするための左側上端座標値（クロップ領域の中間座標値、或いは他のコーナー座標値）を示す。ｉｎｉｔｉａｌ＿ｃｒｏｐ＿ｃｏｏｒｄｉｎａｔｅ＿ｘ、ｉｎｉｔｉａｌ＿ｃｒｏｐ＿ｃｏｏｒｄｉｎａｔｅ＿ｙフィールドは、ｉｎｉｔｉａｌ＿ｒａｎｄｏｍ＿ａｃｃｅｓｓ＿ｆｒａｍｅフィールドが１である場合のみに必要である。すなわち、信号受信装置（ｓｙｎｃ  ｄｅｖｉｃｅ又はＵＨＤＴＶ）は、座標フィールドを用いて指定された領域のみを伝送及び出力することができ、残り領域はクロップして捨てることができる。
【０１２３】
ｄｉｆｆ＿ｃｒｏｐ＿ｃｏｏｒｄｉｎａｔｅ＿ｘ及びｄｉｆｆ＿ｃｒｏｐ＿ｃｏｏｒｄｉｎａｔｅ＿ｙフィールドは、ｉｎｉｔｉａｌ＿ｃｒｏｐ＿ｃｏｒｄｉｎａｔｅ＿ｘフィールドとｉｎｉｔｉａｌ＿ｃｒｏｐ＿ｃｏｏｒｄｉｎａｔｅ＿ｙフィールドとの差値を示す。信号送信装置は、ｉｎｉｔｉａｌ＿ｒａｎｄｏｍ＿ａｃｃｅｓｓ＿ｆｒａｍｅが０である場合（ｉｎｉｔｉａｌ＿ｒａｎｄｏｍ＿ａｃｃｅｓｓ＿ｆｒａｍｅでない場合）、ｉｎｉｔｉａｌ＿ｃｒｏｐ＿ｃｏｒｄｉｎａｔｅ＿ｘフィールドとｉｎｉｔｉａｌ＿ｃｒｏｐ＿ｃｏｏｒｄｉｎａｔｅ＿ｙフィールドとの値を基準にして差値を伝送することができる。信号送信装置は、クロップ領域の開始点（中間点、或いは終了点）を伝送することができる。ｄｉｆｆ＿ｃｒｏｐ＿ｃｏｏｒｄｉｎａｔｅ＿ｘフィールドとｄｉｆｆ＿ｃｒｏｐ＿ｃｏｏｒｄｉｎａｔｅ＿ｙフィールドは、初期ランダムアクセスフレーム（ｉｎｉｔｉａｌ  ｒａｎｄｏｍ  ａｃｃｅｓｓ  ｆｒａｍｅ）を除いて、毎フレームごとに伝送することができる。信号受信装置（ｓｙｎｃ  ｄｅｖｉｃｅ又はＵＨＤＴＶ）は、座標差値フィールドを用いて指定された領域のみを伝送及び出力することができ、残りの領域はクロップして捨てることができる。
【０１２４】
場合に応じて、信号送信装置は、中間に特定ＲＯＩに対する座標伝送を省略することができる。このとき、ｄｉｆｆ＿ｃｒｏｐ＿ｃｏｏｒｄｉｎａｔｅｘ、ｄｉｆｆ＿ｃｒｏｐ＿ｃｏｏｒｄｉｎａｔｅｙは０と見なすことができる。すなわち、信号受信装置は、以前のフレームと同じ座標を維持することができる。また、ＲＯＩは、毎ＲＡＰを基準にして消滅及び生成することができる。すなわち、ＲＡＰ時点で明示されていないＲＯＩは、存在しないＲＯＩである。第２の端末装置から出力するビデオ信号は、既存の信号を継続して維持することができる。
【０１２５】
図１２は、本発明の一実施例に係るクロップされたビデオの解像度情報をシグナリングする方法を説明する図である。
【０１２６】
ｃｒｏｐｐｅｄ＿ｖｉｄｅｏ＿ｒｅｓｏｌｕｔｉｏｎフィールドは、クロップされた領域のビデオの解像度を示す。解像度はクロップされる領域によって変わり得る。また、縦横解像度情報を通じて画面比率情報も判断することができる。ＵＨＤＴＶは、ピクセルの縦横の比率が１：１であり得る。
【０１２７】
一実施例として、ｃｒｏｐｐｅｄ＿ｖｉｄｅｏ＿ｒｅｓｏｌｕｔｉｏｎフィールドの値が００１１であると、クロップ領域の解像度が６４０×４８０であることを示すことができる。０１００であると７２０×４８０の解像度を示すことができ、０１０１であると７２０×５７６の解像度を示すことができ、０１１０であると１０２４×７６８の解像度を示すことができ、０１１１であると１２８０×７２０の解像度を示すことができ、１０００であると１９２０×１０８０の解像度を示すことができる。
【０１２８】
図１３は、本発明の一実施例に係るクロップされたビデオを第２の端末装置でディスプレイするための情報をシグナリングする方法を説明する図である。
【０１２９】
一実施例として、信号送受信装置は、一つの領域をクロップし、クロップされた領域を第２の端末装置でディスプレイするサービスタイプを０ｘ０１に設定することができる。図１３は、サービスタイプとして０ｘ０１が選択された場合のシグナリング情報の例を示す。各フィールドを説明すると、次の通りである。
【０１３０】
２ｎｄ  ｄｅｖｉｃｅ＿ｐｒｏｆｉｌｅフィールドは、第２の端末装置が如何なる装置であるのかに対する情報を含むことができる。２ｎｄ  ｄｅｖｉｃｅ＿ｐｒｏｆｉｌｅフィールドは、第２の端末装置の種類によって変わり得る。プロファイルを分ける基準は、解像度（ｒｅｓｏｌｕｔｉｏｎ）になり得る。又は、他の基準を適用することもできる。一実施例として、２ｎｄ  ｄｅｖｉｃｅ＿ｐｒｏｆｉｌｅフィールドは、Ｐｈｏｎｅ―１タイプはスモールスクリーンプロファイルとして設定し、ｔａｂｌｅｔ―１やｐｈｏｎｅ―２（高仕様）タイプはミディアムスクリーンプロファイルとして設定し、ｔａｂｌｅｔ―２（高仕様）タイプはラージスクリーンプロファイルとして設定することができる。
【０１３１】
２ｎｄ  ｄｅｖｉｃｅ＿ｌｅｖｅｌフィールドは、第２の端末装置でディスプレイ可能なレベル及びインターフェースで伝送可能な最大レベルを示す。
【０１３２】
ｃｒｏｐｐｅｄ＿ｖｉｄｅｏ＿ｒｅｓｏｌｕｔｉｏｎフィールドは、クロップされた領域のビデオの解像度を示す。解像度は、クロップされる領域によって変わり得る。また、縦横解像度情報を通じて画面比率情報も判断することができる。ＵＨＤＴＶは、ピクセルの縦横の比率が１：１であり得る。ｃｒｏｐｐｅｄ＿ｖｉｄｅｏ＿ｒｅｓｏｌｕｔｉｏｎフィールドは、ｅｘｔｒａｃｔｉｏｎ＿ｉｎｆｏ＿ｍｅｔａｄａｔａの解像度情報と同一であり得る。
【０１３３】
ｃｒｏｐｐｅｄ＿ｖｉｄｅｏ＿ｆｒａｍｅ＿ｒａｔｅフィールドは、クロップされたビデオのフレームレートを示すことができる。
【０１３４】
ｎｕｍ＿ｏｆ＿ｄｒｏｐｐｉｎｇ＿ｆｒａｍｅｓフィールドは、ｃｒｏｐｐｅｄ＿ｖｉｄｅｏ＿ｆｒａｍｅ＿ｒａｔｅ情報と第２の端末装置から受信したレベル情報を通じてフレームレートを調整するフィールドである。例えば、クロップされたビデオのフレームレートが１２０Ｈｚで、第２端末装置でディスプレイ可能なレベルが１０８０ｐ３０であると、信号受信装置は、３０／１２０ごとにフレームを選択して第２の端末装置に伝送することができる。
【０１３５】
ｉｎｓｅｒｔ＿ＡＦＤｂａｒ＿ｆｌａｇは、ピラーボックス／レターボックス挿入の有無を決定するフラグであって、１である場合、ピラーボックス／レターボックスを挿入し、０である場合、ピラーボックス／レターボックスを挿入しない。
【０１３６】
ＡＦＤｂａｒ＿ｓｉｚｅ＿２Ｎフィールドは、ピラーボックス／レターボックスの挿入と関連するフィールドである。ｉｎｓｅｒｔ＿ＡＦＤｂａｒ＿ｆｌａｇが１である場合、信号受信装置は、ＡＦＤｂａｒ＿ｓｉｚｅ＿２Ｎフィールドを確認し、ピラーボックス／レターボックスを挿入することができる。信号受信装置は、ディスプレイ画面のｙ軸が０である地点からＡＦＤｂａｒ＿ｓｉｚｅ＿２Ｎの値を２で割ったサイズだけピラーボックス／レターボックスを挿入し、ディスプレイ画面のｙ軸値が｛ディスプレイ画面ｙ軸大きさ−（ＡＦＤｂａｒ＿ｓｉｚｅ＿２Ｎ）／２｝である地点からピラーボックス／レターボックスを挿入することができる。
【０１３７】
ｄｉｓｐｌａｙ＿ｓｔａｒｔｉｎｇ＿ｐｏｉｎｔフィールドは、ビデオが開始される地点を示すことができる。ｉｎｓｅｒｔ＿ＡＦＤｂａｒ＿ｆｌａｇが１である場合、ｙ軸値が（ＡＦＤｂａｒ＿ｓｉｚｅ＿２Ｎ）／２である地点がｄｉｓｐｌａｙ＿ｓｔａｒｔｉｎｇ＿ｐｏｉｎｔになり、０である場合、ｙ軸が０である地点がｄｉｓｐｌａｙ＿ｓｔａｒｔｉｎｇ＿ｐｏｉｎｔになる。
【０１３８】
図１４は、本発明の一実施例に係るクロップされたビデオが複数である場合、第２の端末装置でディスプレイするための情報をシグナリングする方法を説明する図である。
【０１３９】
一実施例として、信号送受信装置は、複数の領域のうち一つの領域をクロップし、クロップされた領域を第２の端末装置でディスプレイするサービスタイプを０ｘ０２に設定することができる。図１４は、サービスタイプとして０ｘ０２が選択された場合のシグナリング情報の例を示す。各フィールドを説明すると、次の通りである。
【０１４０】
２ｎｄ  ｄｅｖｉｃｅ＿ｐｒｏｆｉｌｅフィールドは、第２の端末装置が如何なる装置であるのかに対する情報を含むことができる。２ｎｄ  ｄｅｖｉｃｅ＿ｐｒｏｆｉｌｅフィールドは、第２の端末装置の種類によって変わり得る。プロファイルを分ける基準は、解像度になり得る。又は、他の基準を適用することもできる。一実施例として、２ｎｄ  ｄｅｖｉｃｅ＿ｐｒｏｆｉｌｅフィールドは、Ｐｈｏｎｅ―１タイプはスモールスクリーンプロファイルとして設定し、ｔａｂｌｅｔ―１やｐｈｏｎｅ―２（高仕様）タイプはミディアムスクリーンプロファイルとして設定し、ｔａｂｌｅｔ―２（高仕様）タイプはラージスクリーンプロファイルとして設定することができる。
【０１４１】
２ｎｄ  ｄｅｖｉｃｅ＿ｌｅｖｅｌフィールドは、第２の端末装置でディスプレイ可能なレベル及びインターフェースで伝送可能な最大レベルを示す。
【０１４２】
ｃｒｏｐｐｅｄ＿ｖｉｄｅｏ＿ｆｒａｍｅ＿ｒａｔｅフィールドは、クロップされたビデオのフレームレートを示すことができる。
【０１４３】
ｎｕｍ＿ｏｆ＿ｄｒｏｐｐｉｎｇ＿ｆｒａｍｅｓフィールドは、ｃｒｏｐｐｅｄ＿ｖｉｄｅｏ＿ｆｒａｍｅ＿ｒａｔｅ情報と第２の端末装置から受信したレベル情報を通じてフレームレートを調整するフィールドである。例えば、クロップされたビデオのフレームレートが１２０Ｈｚで、第２の端末装置でディスプレイ可能なレベルが１０８０ｐ３０であると、信号受信装置は、３０／１２０ごとにフレームを選択して第２の端末装置に伝送することができる。
【０１４４】
ｎｕｍ＿ｏｆ＿ｃｒｏｐ＿ｃｏｏｒｄｉｎａｔｅｓフィールドは、クロップされる領域の個数を意味する。すなわち、信号送信装置が４個のＲＯＩ領域を伝送した場合、ｎｕｍ＿ｏｆ＿ｃｒｏｐ＿ｃｏｏｒｄｉｎａｔｅｓは４になる。ｎｕｍ＿ｏｆ＿ｃｒｏｐ＿ｃｏｏｒｄｉｎａｔｅｓフィールドは、ｅｘｔｒａｃｔｉｏｎ＿ｉｎｆｏ＿ｍｅｔａｄａｔａの情報と同一であり得る。
【０１４５】
ｃｒｏｐｐｅｄ＿ｖｉｄｅｏ＿ｒｅｓｏｌｕｔｉｏｎフィールドは、クロップされた領域のビデオの解像度を示す。解像度はクロップされる領域によって変わり得る。また、縦横解像度情報を通じて画面比率情報も判断することができる。ＵＨＤＴＶは、ピクセルの縦横の比率が１：１であり得る。ｃｒｏｐｐｅｄ＿ｖｉｄｅｏ＿ｒｅｓｏｌｕｔｉｏｎフィールドは、ｅｘｔｒａｃｔｉｏｎ＿ｉｎｆｏ＿ｍｅｔａｄａｔａの解像度情報と同一であり得る。
【０１４６】
ｉｎｓｅｒｔ＿ＡＦＤｂａｒ＿ｆｌａｇは、ピラーボックス／レターボックス挿入の有無を決定するフラグであって、１である場合、ピラーボックス／レターボックスを挿入し、０である場合、ピラーボックス／レターボックスを挿入しない。
【０１４７】
ＡＦＤｂａｒ＿ｓｉｚｅ＿２Ｎフィールドは、ピラーボックス／レターボックスの挿入と関連するフィールドである。ｉｎｓｅｒｔ＿ＡＦＤｂａｒ＿ｆｌａｇが１である場合、信号受信装置は、ＡＦＤｂａｒ＿ｓｉｚｅ＿２Ｎフィールドを確認し、ピラーボックス／レターボックスを挿入することができる。信号受信装置は、ディスプレイ画面のｙ軸が０である地点からＡＦＤｂａｒ＿ｓｉｚｅ＿２Ｎの値を２で割ったサイズだけピラーボックス／レターボックスを挿入し、ディスプレイ画面のｙ軸値が｛ディスプレイ画面ｙ軸大きさ−（ＡＦＤｂａｒ＿ｓｉｚｅ＿２Ｎ）／２｝である地点からピラーボックス／レターボックスを挿入することができる。
【０１４８】
ｄｉｓｐｌａｙ＿ｓｔａｒｔｉｎｇ＿ｐｏｉｎｔフィールドは、ビデオが開始される地点を示すことができる。ｉｎｓｅｒｔ＿ＡＦＤｂａｒ＿ｆｌａｇが１である場合、ｙ軸値が（ＡＦＤｂａｒ＿ｓｉｚｅ＿２Ｎ）／２である地点がｄｉｓｐｌａｙ＿ｓｔａｒｔｉｎｇ＿ｐｏｉｎｔになり、０である場合、ｙ軸が０である地点がｄｉｓｐｌａｙ＿ｓｔａｒｔｉｎｇ＿ｐｏｉｎｔになる。
【０１４９】
図１５は、本発明の一実施例に係る複数のクロップされたビデオを再構成してディスプレイするための情報をシグナリングする方法を説明する図である。
【０１５０】
一実施例として、信号送受信装置は、少なくとも一つの領域をクロップし、クロップされた映像を再構成し、信号受信装置でディスプレイするサービスタイプを０ｘ０３に設定することができる。図１５は、サービスタイプとして０ｘ０３が選択された場合のシグナリング情報の例を示す。各フィールドを説明すると、次の通りである。
【０１５１】
ｍｕｌｔｉ＿ｃｈａｎｎｅｌ＿ｍｏｄｅフィールドは、マルチチャンネルへの転換の有無を示す。信号受信装置は、マルチチャンネルモードに転換することを指示する入力がある場合、クロップされたビデオをディスプレイすることができる。信号受信装置は、マルチチャンネルモードへの転換を示す命令がない場合は、クロップ座標を無視してディスプレイすることができる。
【０１５２】
ｃｒｏｐｐｅｄ＿ｖｉｄｅｏ＿ｒｅｓｏｌｕｔｉｏｎフィールドは、クロップされた領域のビデオの解像度を示す。解像度はクロップされる領域によって変わり得る。また、縦横解像度情報を通じて画面比率情報も判断することができる。ＵＨＤＴＶは、ピクセルの縦横の比率が１：１であり得る。ｃｒｏｐｐｅｄ＿ｖｉｄｅｏ＿ｒｅｓｏｌｕｔｉｏｎフィールドは、ｅｘｔｒａｃｔｉｏｎ＿ｉｎｆｏ＿ｍｅｔａｄａｔａの情報と同一であり得る。
【０１５３】
ｎｕｍ＿ｏｆ＿ｃｒｏｐ＿ｃｏｏｒｄｉｎａｔｅｓフィールドは、図１３のＵＨＤ＿２ｎｄ  ｄｅｖｉｃｅ＿ｃｏｍｐｏｓｉｔｉｏｎ＿ｍｅｔａｄａｔａ（）のｎｕｍ＿ｏｆ＿ｃｒｏｐ＿ｃｏｏｒｄｉｎａｔｅｓと同一であり得、すなわち、全てのクロップされた領域の数字を意味するので、候補（ｃａｎｄｉｄａｔｅｓ）も含むことができる。また、このフィールドは、クロップされた領域がディスプレイされるときの優先順位を意味することもできる。
【０１５４】
ｎｕｍ＿ｏｆ＿ＲＯＩ＿ｒｅｇｉｏｎｓフィールドは、信号受信装置で一度に表示するＲＯＩ領域の個数を意味することができる。
【０１５５】
ｄｉｓｐｌａｙ＿ｓｔａｒｔｉｎｇ＿ｐｏｉｎｔフィールドは、クロップされた各ビデオが信号受信装置内で分割されてディスプレイされるように開始地点を示すことができる。
【０１５６】
ＲＯＩ＿ｒｅｇｉｏｎ＿ｐｒｉｏｒｉｔｙフィールドは、各ＲＯＩ領域に優先順位を割り当てることができる。複数のＲＯＩのうち、ディスプレイするＲＯＩ領域を選択することができる。例えば、ｎｕｍ＿ｏｆ＿ＲＯＩ＿ｒｅｇｉｏｎｓが４である場合、複数のＲＯＩ領域のうちＲＯＩ＿ｒｅｇｉｏｎ＿ｐｒｉｏｒｉｔｙが１〜４であるＲＯＩ領域をディスプレイすることができる。
【０１５７】
図１６は、本発明の一実施例に係る２１：９信号受信装置の余剰領域にクロップされたビデオをディスプレイするための情報をシグナリングする方法を説明する図である。
【０１５８】
一実施例として、信号送受信装置は、メインビデオとクロップビデオを共にディスプレイするサービスタイプを０ｘ０４に設定することができる。図１６は、サービスタイプとして０ｘ０４が選択された場合のシグナリング情報の例を示す。各フィールドを説明すると、次の通りである。
【０１５９】
ｎｕｍ＿ｏｆ＿ｃｒｏｐ＿ｃｏｏｒｄｉｎａｔｅｓフィールドは、クロップされる領域の個数を意味する。すなわち、信号送信装置が４個のＲＯＩ領域を伝送した場合、ｎｕｍ＿ｏｆ＿ｃｒｏｐ＿ｃｏｏｒｄｉｎａｔｅｓは４になる。ｎｕｍ＿ｏｆ＿ｃｒｏｐ＿ｃｏｏｒｄｉｎａｔｅｓフィールドは、ｅｘｔｒａｃｔｉｏｎ＿ｉｎｆｏ＿ｍｅｔａｄａｔａの情報と同一であり得る。
【０１６０】
ｎｕｍ＿ｏｆ＿ＲＯＩ＿ｒｅｇｉｏｎｓフィールドは、信号受信装置で一度に表示するＲＯＩ領域の個数を意味することができる。
【０１６１】
２１＿９＿ｄｉｓｐｌａｙ＿ｆｌａｇは、映像が最終的に２１：９画面に表示される映像として構成されるか否かを示す。
【０１６２】
ｃｒｏｐｐｅｄ＿ｖｉｄｅｏ＿ｒｅｓｏｌｕｔｉｏｎフィールドは、クロップされた領域のビデオの解像度を示す。解像度は、クロップされる領域によって変わり得る。また、縦横解像度情報を通じて画面比率情報も判断することができる。ＵＨＤＴＶは、ピクセルの縦横の比率が１：１であり得る。ｃｒｏｐｐｅｄ＿ｖｉｄｅｏ＿ｒｅｓｏｌｕｔｉｏｎフィールドは、ｅｘｔｒａｃｔｉｏｎ＿ｉｎｆｏ＿ｍｅｔａｄａｔａの情報と同一であり得る。
【０１６３】
ｄｉｓｐｌａｙ＿ｓｔａｒｔｉｎｇ＿ｐｏｉｎｔフィールドは、クロップされた各ビデオが信号受信装置内で分割されてディスプレイされるように開始地点を示すことができる。又は、ｄｉｓｐｌａｙ＿ｓｔａｒｔｉｎｇ＿ｐｏｉｎｔフィールドの代わりに、領域の個数を割り当ててｄｉｓｐｌａｙ＿ｓｅｃｔｉｏｎ＿ｎｕｍｂｅｒをシグナリングすることもできる。
【０１６４】
ＲＯＩ＿ｒｅｇｉｏｎ＿ｐｒｉｏｒｉｔｙフィールドは、各ＲＯＩ領域に優先順位を割り当てることができる。複数のＲＯＩのうち、ディスプレイするＲＯＩ領域を選択することができる。例えば、ｎｕｍ＿ｏｆ＿ＲＯＩ＿ｒｅｇｉｏｎｓが４である場合、複数のＲＯＩ領域のうちＲＯＩ＿ｒｅｇｉｏｎ＿ｐｒｉｏｒｉｔｙが１〜４であるＲＯＩ領域をディスプレイすることができる。
【０１６５】
図１７及び図１８は、ＰＥＳパケットの一実施例を説明する図である。
【０１６６】
信号受信装置は、同一のＰＩＤを有するＴＳパケットを集め、原本データを復元することができる。信号受信装置は、原本データがＰＥＳである場合、ＰＥＳからビデオＥＳデータを抽出することができる。
【０１６７】
図１７は、一つのストリームから多数のビデオを抽出した場合、ＰＥＳパケットに含まれているＰＴＳやＤＴＳの信号を通じてそれぞれのビデオの同期（ｓｙｎｃ）を合わせられることを示す。
【０１６８】
図１７及び図１８のＰＥＳパケットに含まれた主要フィールドを説明すると、次の通りである。図１７及び図１８は、一つのＰＥＳパケットを示したものであるので、図１７及び図１８を共に説明する。
【０１６９】
ｐａｃｋｅｔ＿ｓｔａｒｔ＿ｃｏｄｅ＿ｐｒｅｆｉｘは、２４ビットフィールドであって、ＰＥＳパケットの開始を示す。
【０１７０】
ｓｔｒｅａｍ＿ｉｄは、８ビットフィールドであって、ＰＥＳとして伝送されるＥＳのタイプを識別する。
【０１７１】
ＰＥＳ＿ｐａｃｋｅｔ＿ｌｅｎｇｔｈは、１６ビットフィールドであって、次に来るデータのバイト個数を示す。
【０１７２】
ＰＥＳ＿ｓｃｒａｍｂｌｉｎｇ＿ｃｏｎｔｒｏｌは、２ビットフィールドであって、ＰＥＳパケットペイロードのスクランブルの有無を示す。
【０１７３】
ＰＴＳ＿ＤＴＳ＿ｆｌａｇｓは、ＰＴＳ又はＤＴＳ情報がＰＥＳに含まれているか否かを示す。ＰＴＳ＿ＤＴＳ＿ｆｌａｇｓが１０であると、ＰＴＳ情報がＰＥＳパケットヘッダー内に存在する。ＰＴＳ＿ＤＴＳ＿ｆｌａｇｓが１１であると、ＰＴＳ情報とＤＴＳ情報がパケットヘッダー内に存在する。ＰＴＳ＿ＤＴＳ＿ｆｌａｇｓが００であると、何も存在しない。０１値は、使用されない値である。
【０１７４】
ＰＥＳ＿ｅｘｔｅｎｓｉｏｎ＿ｆｌａｇは、ＰＥＳ拡張の有無を示す。ＰＥＳ＿ｅｘｔｅｎｓｉｏｎ＿ｆｌａｇが１であると、ＰＥＳ拡張（ｅｘｔｅｎｓｉｏｎ）がＰＥＳパケットヘッダーに存在する。ＰＥＳ＿ｅｘｔｅｎｓｉｏｎ＿ｆｌａｇはＰＥＳ＿ｐｒｉｖａｔｅ＿ｄａｔａ＿ｆｌａｇを把握するためのものである。
【０１７５】
ＰＥＳ＿ｈｅａｄｅｒ＿ｄａｔａ＿ｌｅｎｇｔｈは、８ビットフィールドであって、次に来る選択的な各情報の全てのバイト個数を示す。
【０１７６】
ＰＴＳは、実際にディスプレイされる時刻の情報である。例えば、ＰＴＳ（ｊ）＝（（システムクロック周波数（ｓｙｓｔｅｍ  ｃｌｏｃｋ  ｆｒｅｑｕｅｎｃｙ）＊再生される時間）／３００）％２^３３に計算することができる。
【０１７７】
ＤＴＳは、実際にデコーディングされる時刻の情報であって、ｒａｎｄｏｍ＿ａｃｃｓｓ＿ｐｏｉｎｔに該当する初期フレーム（ｉｎｉｔｉａｌ  ｆｒａｍｅ）であるか否かを確認することができる。
【０１７８】
ｍａｒｋｅｒ＿ｂｉｔは、１ビットであって、データの有効性を検査するために使用される。
【０１７９】
ＰＥＳ＿ｐｒｉｖａｔｅ＿ｄａｔａは、１６バイトフィールドであって、プライベート（ｐｒｉｖａｔｅ）なデータを含むことができる。信号送信装置は、図１０で説明したＳＥＩメッセージに含まれる構成情報（例えば、ＵＨＤＴＶ＿ｃｏｍｐｏｓｉｔｉｏｎ＿ｉｎｆｏ（ｐａｙｌｏａｄＳｉｚｅ））のクロップ領域抽出情報（例えば、ｅｘｔｒａｃｔｉｏｎ＿ｉｎｆｏ＿ｍｅｔａｄａｔａ）、及び図１３〜図１６で説明した各サービスタイプ別の画面構成情報（例えば、ＵＨＤ＿ＸＸ＿ｃｏｍｐｏｓｉｔｉｏｎ＿ｍｅｔａｄａｔａ）などをｐｒｉｖａｔｅ＿ｄａｔａに含ませて伝送することができる。
【０１８０】
図１９は、本発明の一実施例に係るクロップされたビデオを処理してディスプレイする方法を説明する図である。
【０１８１】
信号受信装置は、信号送信装置からＵＨＤビデオデータを含むストリームとクロップ座標などのクロップ情報を含むシグナリング情報を受信することができる。
【０１８２】
信号受信装置は、受信されたビデオデータを含むストリーム及びクロップ情報を含むシグナリング情報を逆多重化することができる（Ｓ６０３）。信号受信装置は、逆多重化されたシグナリング情報及びビデオストリームに含まれたビデオデータを復号化することができる（Ｓ６０５）。シグナリング情報はビデオ構成情報を含むことができる。信号受信装置は、シグナリング情報からビデオ構成情報をパーシングすることができる（Ｓ６０７）。ビデオ構成情報は、ディスプレイするサービスタイプ及びクロップ情報を含むことができる。信号受信装置は、復号化されたシグナリング情報からクロップ領域に対する情報を抽出することができる。
【０１８３】
信号受信装置は、第２の端末装置へのデータ伝送の有無を判断することができる（Ｓ６１０）。信号受信装置が第２の端末装置にデータを伝送すると判断すると、信号受信装置は、ビデオデータのコンバーションの有無を判断することができる（Ｓ６１５）。信号受信装置は、コンバーションの有無を判断する前に、第２の端末装置からレベル情報を受信することができる（Ｓ６１３）。信号受信装置は、受信されたレベル情報に基づいてビデオデータのコンバーションの有無を判断することができる。信号受信装置は、第２の端末装置のディスプレイ可能な最大仕様及びインターフェース情報を感知し、フレームレート、ビットデプス、及びクロマサンプリングに関する値をコンバーションすることができる（Ｓ６１７）。
【０１８４】
信号受信装置は、複数の領域のうち少なくとも一つのクロップ領域を選択することができる（Ｓ６２０）。例えば、信号受信装置は、所望の領域を選択できるＵＩを表示し、ユーザーから選択命令の入力を受けることができる。又は、第２の端末装置は、所望の領域を選択できるＵＩを表示し、ユーザーから選択命令の入力を受けることができる。場合に応じて、信号受信装置は、画面内でクロップされ得る領域を表示し、リモコンなどを用いたユーザーの選択命令に従って一つのクロップ領域を選択することができる。
【０１８５】
信号受信装置は、クロップ座標情報を用いて選択されたＲＯＩ領域をクロップすることができる（Ｓ６２３）。信号受信装置は、第２の端末装置の画面比率（Ｄｅｖｉｃｅ＿ＡＲ）とクロップされたＲＯＩ領域の画面比率（ＲＯＩ＿ＡＲ）とが同一であるか否かを判断することができる（Ｓ６２５）。第２の端末装置の画面比率は、第２の端末装置から伝送される解像度情報を用いて判断することができる。そして、クロップされたＲＯＩ領域の画面比率は、信号送信装置から伝送されるクロップ情報から算出することができる。
【０１８６】
第２の端末装置の画面比率とクロップされたＲＯＩ領域の画面比率とが同一であると、信号受信装置は、デコーディングされてクロップされたビデオデータをインターフェースを介して第２の端末装置に伝送することができる。第２の端末装置は、受信されたビデオデータをそのまま出力することができる。
【０１８７】
第２の端末装置の画面比率（Ｄｅｖｉｃｅ＿ＡＲ）とクロップされたＲＯＩ領域の画面比率（ＲＯＩ＿ＡＲ）とが同一でないと、信号受信装置は、ＡＦＤバーを挿入したり、余剰空間を追加実行のための空間として割り当てることができる（Ｓ６２７）。信号受信装置は、デコーディングされてクロップされたビデオをインターフェースを介して第２の端末装置に伝送することができる。第２の端末装置は、受信したクロップされたビデオをディスプレイすることができる。
【０１８８】
第２の端末装置なしで一つのディスプレイ装置でクロップ領域がディスプレイされる場合、クロップ領域はＳ６３０段階で選択することができる。場合に応じて、マルチチャンネルモード（ｍｕｌｔｉ―ｃｈａｎｎｅｌ  ｍｏｄｅ）が選択された後、クロップ領域が選択（Ｓ６３７）されることもあり、メインとマルチチャンネル同時モード（ｍａｉｎ＋ｍｕｌｔｉ  ｃｈａｎｎｅｌ  ｍｏｄｅ）が選択された後、クロップ領域が選択（Ｓ６５０）されることもある。
【０１８９】
信号受信装置は、ディスプレイ画面が２１：９であるか否かを確認することができる（Ｓ６３３）。画面比率が２１：９でないと、信号受信装置は、マルチチャンネルモードの有無を判断することができる（Ｓ６３５）。信号受信装置は、マルチチャンネルモードである場合、受信したＭ個のクロップ座標を用いて１６：９ＨＤ画面にクロップし、クロップした画面をディスプレイすることができる（Ｓ６４０）。信号受信装置は、Ｎ個に分割されたクロップ領域ビデオを信号受信装置の画面の指定された領域にディスプレイすることができる。
【０１９０】
信号受信装置は、マルチチャンネルモードでない場合、クロップ座標を無視することができる（Ｓ６４３）。信号受信装置は、１６：９ＵＨＤビデオのみをディスプレイすることができる（Ｓ６４５）。
【０１９１】
画面比率が２１：９であると、信号受信装置は、メインとマルチチャンネル同時モードの有無を判断することができる（Ｓ６４７）。信号受信装置は、メインとマルチチャンネル同時モードでない場合、クロップ座標を無視することができる（Ｓ６５３）。信号受信装置は、ＡＦＤバーを挿入することができる（Ｓ６５５）。信号受信装置は、ＡＦＤバーが挿入された１６：９ビデオを２１：９ディスプレイ領域にディスプレイすることができる（Ｓ６５７）。
【０１９２】
信号受信装置は、メインとマルチチャンネル同時モードである場合、領域を選択してクロップすることができる（Ｓ６６０）。信号受信装置は、１６：９ビデオとクロップされたＲＯＩ領域を画面構成情報を用いて配置することができる（Ｓ６６３）。
【０１９３】
図２０は、本発明の一実施例に係る信号送信装置の制御方法のフローチャートである。
【０１９４】
図２０を参照すると、信号送信装置は、ビデオデータをエンコーディングすることができる（Ｓ１０１０）。信号送信装置は、ビデオデータのうちクロップ領域を設定し、クロップ領域に対する情報を含むシグナリング情報を生成することができる（Ｓ１０２０）。シグナリング情報はビデオ構成情報を含むことができる。ビデオ構成情報は、クロップ情報及びディスプレイサービスタイプ情報を含むことができる。例えば、クロップ情報は、クロップ座標、クロップ領域個数、最初開始座標及び座標の差値などであり得る。ディスプレイサービスタイプ情報は、第２の端末装置にクロップ領域を伝送するサービス、クロップ領域のみを再構成してディスプレイするサービス、及びメインビデオとクロップビデオを同時にディスプレイするサービスのうち一つであり得る。
【０１９５】
信号送信装置は、エンコーディングされたビデオデータ及びシグナリング情報を多重化し、多重化されたビデオデータとシグナリング情報を伝送することができる（Ｓ１０３０）。各ディスプレイサービスタイプ及びシグナリング情報に対する実施例は、上述した通りである。
【０１９６】
図２１は、本発明の一実施例による信号受信装置の制御方法のフローチャートである。
【０１９７】
図２１を参照すると、信号受信装置は、ビデオデータを含むストリームとシグナリング情報を逆多重化することができる（Ｓ１１１０）。
【０１９８】
信号受信装置は、逆多重化されたシグナリング情報及びビデオデータを復号化することができる（Ｓ１１２０）。シグナリング情報はビデオ構成情報を含むことができる。ビデオ構成情報は、クロップ情報及びディスプレイサービスタイプ情報を含むことができる。
【０１９９】
信号受信装置は、復号化されたシグナリング情報からクロップ領域に対する情報を抽出することができる（Ｓ１１３０）。信号受信装置は、抽出されたクロップ情報を用いてビデオをクロップすることができる。信号受信装置は、サービスタイプ情報によってクロップされた領域をディスプレイしたり、クロップされた領域を第２の端末装置に伝送することができる。
【０２００】
図２２は、本発明の一実施例に係る信号送信装置のブロック図である。
【０２０１】
図２２を参照すると、信号送信装置は、エンコーダー１１０、シグナリング情報生成部１２０、多重化部１３０、及び通信部１４０を含む。
【０２０２】
エンコーダー１１０は、ビデオデータをエンコーディングすることができる。シグナリング情報生成部１２０は、ビデオデータのうちクロップ領域を設定し、クロップ領域に対する情報を含むシグナリング情報を生成することができる。一方、エンコーダー１１０及びシグナリング情報生成部１２０は、制御部（図示せず）に含ませることもできる。シグナリング情報は、ビデオ構成情報及びディスプレイサービスタイプによる情報を含むことができる。ビデオ構成情報は、クロップに関する情報を含むことができる。
【０２０３】
クロップ領域に対する情報は、クロップ領域個数及び１番目のフレームであるか否かを示す情報を含み、クロップ領域の基準座標を示す情報又は基準座標との差値を示す情報を含むことができる。シグナリング情報は、ビデオに挿入されるＡＦＤバーに関する情報をさらに含むこともできる。
【０２０４】
多重化部１３０は、エンコーディングされたビデオデータ及びシグナリング情報を多重化することができる。通信部１４０は、多重化されたビデオデータとシグナリング情報を伝送することができる。
【０２０５】
図２３は、本発明の一実施例に係る信号受信装置のブロック図である。
【０２０６】
図２３を参照すると、信号受信装置は、逆多重化部２１０、シグナリング情報復号部２２０、ビデオデコーダー２３０、制御部２４０及びディスプレイ部２５０を含む。
【０２０７】
逆多重化部２１０は、ビデオデータを含むストリームとシグナリング情報を逆多重化することができる。
【０２０８】
シグナリング情報復号部２２０は、逆多重化されたシグナリング情報を復号することができる。
【０２０９】
ビデオデコーダー２３０は、逆多重化されたビデオストリーム内のビデオデータをデコーディングすることができる。
【０２１０】
制御部２４０は、復号化されたシグナリング情報からクロップ領域に対する情報を抽出することができる。クロップ領域に対する情報は、クロップ領域個数及び１番目のフレームであるか否かを示す情報を含み、クロップ領域の基準座標を示す情報又は基準座標との差値を示す情報を含むことができる。
【０２１１】
制御部２４０は、抽出されたクロップ領域に対する情報を用いてデコーディングされたビデオデータをクロップすることができる。例えば、クロップ領域は、最初の座標を用いて識別することができ、以後のフレームでは差値を用いて識別することができる。クロップ領域は、複数個に設定することができる。
【０２１２】
制御部２４０は、受信された画面比率情報とクロップ領域の画面比率とを比較し、これらが同一でないと、既に設定された領域にＡＦＤバーを挿入することができる。又は、制御部は、ディスプレイしようとするビデオを特定領域として設定し、残りの領域は追加アプリケーション空間として設定することができる。
【０２１３】
制御部２４０は、受信した第２の端末装置のディスプレイ情報に基づいてビデオデータのフォーマットを変換することができる。ビデオデータのフォーマットは、フレームレート、ビットデプス及びクロマサンプリングのうち少なくとも一つを含むことができる。
【０２１４】
制御部２４０は、複数のクロップ領域のうち少なくとも一つのクロップ領域を選択できる選択画面を出力するようにディスプレイ部２５０を制御することができる。制御部２４０は、選択されたクロップ領域を第２の端末装置に伝送するように制御することができ、画面を再構成してディスプレイするように制御することもできる。
【０２１５】
制御部２４０は、抽出されたクロップ領域に対する情報を用いてデコーディングされたビデオデータの少なくとも一つの領域をクロップし、ディスプレイ部２５０の画面比率が１６：９である場合、ディスプレイ部２５０を分割し、クロップされた少なくとも一つの領域を出力するように制御することができる。制御部２４０は、抽出されたクロップ領域に対する情報を用いてデコーディングされたビデオデータの少なくとも一つの領域をクロップし、ディスプレイ部２５０の画面比率が２１：９である場合、ディスプレイ部２５０をメイン領域と付加領域とに分割し、メイン領域はデコーディングされたビデオデータを出力し、付加領域は少なくとも一つのクロップされた領域を出力するように制御することができる。
【０２１６】
ディスプレイ部２５０は、受信されたビデオをディスプレイすることができる。
【０２１７】
信号受信装置は、通信部（図示せず）をさらに含むことができる。通信部は、画面比率情報を含む第２の端末装置のディスプレイ情報を受信することができる。ディスプレイ情報とは、第２の端末装置の最大ディスプレイ仕様を意味することができる。例えば、ディスプレイ仕様は、解像度、フレームレートなどであり得る。例えば、通信部は、ＨＤＭＩ、ＷｉＨＤ、ＷｉＧｉｇ、ワイヤレスディスプレイ、ＨＤＢａｓｅＴなどになり得る。放送信号を受信する放送信号通信部と区別するためにインターフェースとして表現することもできる。通信部は、デコーディングされたビデオデータのクロップされた領域を第２の端末装置に伝送することができる。
【０２１８】
本発明に係る信号送受信装置及び信号送受信装置の制御方法は、上述した各実施例の構成と方法を限定的に適用できるものではなく、前記各実施例は多様に変形できるように各実施例の全部又は一部を選択的に組み合わせて構成することもできる。
【０２１９】
また、以上では、本発明の好ましい実施例に対して図示して説明したが、本発明は、上述した特定の実施例に限定されるものではなく、特許請求の範囲で請求する本発明の要旨から逸脱することなく、当該発明の属する技術分野で通常の知識を有する者によって多様な変形実施が可能であることは当然であり、このような変形実施は、本発明の技術的思想や展望から個別的に理解してはならない。
【産業上の利用可能性】
【０２２０】
本発明は、放送及びビデオ信号処理分野で使用可能であり、反復可能性を有するので、産業上の利用可能性を有する。
【図１】
2016523015.tif 000003
【図２】
2016523015.tif 000004
【図３】
2016523015.tif 000005
【図４】
2016523015.tif 000006
【図５】
2016523015.tif 000007
【図６】
2016523015.tif 000008
【図７】
2016523015.tif 000009
【図８】
2016523015.tif 000010
【図９】
2016523015.tif 000011
【図１０】
2016523015.tif 000012
【図１１】
2016523015.tif 000013
【図１２】
2016523015.tif 000014
【図１３】
2016523015.tif 000015
【図１４】
2016523015.tif 000016
【図１５】
2016523015.tif 000017
【図１６】
2016523015.tif 000018
【図１７】
2016523015.tif 000019
【図１８】
2016523015.tif 000020
【図１９】
2016523015.tif 000021
【図２０】
2016523015.tif 000022
【図２１】
2016523015.tif 000023
【図２２】
2016523015.tif 000024
【図２３】
2016523015.tif 000025
【国際調査報告】
2016523015.tif 000026
2016523015.tif 000027
2016523015.tif 000028
2016523015.tif 000029
2016523015.tif 000030
2016523015.tif 000031